(57)【要約】【課題】従来技術においては、放熱性に優れる電池が望まれる。【解決手段】電池は、電極層と、前記電極層の対極である対極層と、前記電極層と前記対極層との間に位置する固体電解質層と、を備え、前記固体電解質層は、第１固体電解質材料を含む第１領域と、第２固体電解質材料を含む第２領域と、を有し、前記第１領域は、前記電極層と前記対極層とが対向する領域内に、位置し、前記第２領域は、前記第１領域よりも前記電極層と前記対極層とが対向する領域の外周側に、前記第１領域に接して、位置し、前記第１領域における前記第１固体電解質材料の密度を第１密度とし、前記第２領域における前記第２固体電解質材料の密度を第２密度とすると、前記第２密度は、前記第１密度よりも、高い。【選択図】図１
2019029339.tif 000002
【特許請求の範囲】
【請求項１】
電極層と、
前記電極層の対極である対極層と、
前記電極層と前記対極層との間に位置する固体電解質層と、
を備え、
前記固体電解質層は、第１固体電解質材料を含む第１領域と、第２固体電解質材料を含む第２領域と、を有し、
前記第１領域は、前記電極層と前記対極層とが対向する領域内に、位置し、
前記第２領域は、前記第１領域よりも前記電極層と前記対極層とが対向する領域の外周側に、前記第１領域に接して、位置し、
前記第１領域における前記第１固体電解質材料の密度を第１密度とし、
前記第２領域における前記第２固体電解質材料の密度を第２密度とすると、
前記第２密度は、前記第１密度よりも、高い、
電池。
【請求項２】
前記電極層は、電極活物質を含み、
前記対極層は、対極活物質を含み、
前記第１領域における前記電極活物質の密度と前記対極活物質の密度との両方は、前記第１密度よりも低く、
前記第２領域における前記電極活物質の密度と前記対極活物質の密度との両方は、前記第２密度よりも低い、
請求項１に記載の電池。
【請求項３】
前記第１領域および前記第２領域は、前記電極活物質および前記対極活物質を含まない、
請求項２に記載の電池。
【請求項４】
前記第２領域は、前記第１領域の周りを囲んで、位置する、
請求項１から３のいずれかに記載の電池。
【請求項５】
前記第１領域は、前記電極層と前記対極層とが対向する領域外に張り出す第１張出部分を、有し、
前記第２領域は、前記第１張出部分を覆って、位置する、
請求項１から４のいずれかに記載の電池。
【請求項６】
前記第２領域は、前記電極層の端部に接して、位置する、
請求項１から５のいずれかに記載の電池。
【請求項７】
前記第２領域は、前記電極層の周りを囲んで、位置する、
請求項６に記載の電池。
【請求項８】
前記第２領域は、前記対極層の端部に接して、位置する、
請求項６または７に記載の電池。
【請求項９】
前記第２領域は、前記対極層の周りを囲んで、位置する、
請求項８に記載の電池。
【請求項１０】
前記電極層に電気的に接続される電極集電体と、
前記対極層に電気的に接続される対極集電体と、
をさらに備え、
前記第２領域は、前記電極集電体と前記対極集電体との間に、前記電極集電体と前記対極集電体とに接して、位置する、
請求項１から９のいずれかに記載の電池。
【請求項１１】
前記第１領域が配置される位置における、前記電極集電体と前記対極集電体との間の距離を、第１距離とし、
前記第２領域が配置される位置における、前記電極集電体と前記対極集電体との間の距離を、第２距離とすると、
前記第２距離は、前記第１距離よりも、小さい、
請求項１０に記載の電池。
【請求項１２】
前記第１固体電解質材料と前記第２固体電解質材料とは、同じ材料である、
請求項１から１１のいずれかに記載の電池。
【請求項１３】
前記固体電解質層は、第３固体電解質材料を含む第３領域を、有し、
前記第３領域は、前記第２領域に接して、位置し、
前記第２領域は、前記第１領域と前記第３領域との間に、位置し、
前記第３領域における前記第３固体電解質材料の密度を第３密度とすると、
前記第３密度は、前記第２密度よりも、高い、
請求項１から１２のいずれかに記載の電池。
【請求項１４】
前記電極層は、電極活物質を含み、
前記対極層は、対極活物質を含み、
前記第１領域における前記電極活物質の密度と前記対極活物質の密度との両方は、前記第１密度よりも低く、
前記第２領域における前記電極活物質の密度と前記対極活物質の密度との両方は、前記第２密度よりも低く、
前記第３領域における前記電極活物質の密度と前記対極活物質の密度との両方は、前記第３密度よりも低い、
請求項１３に記載の電池。
【請求項１５】
前記第１領域および前記第２領域および前記第３領域は、前記電極活物質および前記対極活物質を含まない、
請求項１４に記載の電池。
【請求項１６】
前記第３領域は、前記第２領域の周りを囲んで、位置する、
請求項１３から１５のいずれかに記載の電池。
【請求項１７】
前記第２領域は、前記電極層と前記対極層とが対向する領域外に張り出す第２張出部分を、有し、
前記第３領域は、前記第２張出部分を覆って、位置する、
請求項１３から１６のいずれかに記載の電池。
【請求項１８】
前記対極層の形成範囲は、前記電極層の形成範囲よりも、大きく、
前記電極層は、前記対極層の形成範囲内に、位置し、
前記第２領域は、前記電極層の端部に接して、位置し、
前記第３領域は、前記対極層の端部に接して、位置する、
請求項１３から１７のいずれかに記載の電池。
【請求項１９】
前記第２領域は、前記電極層の周りを囲んで、位置し、
前記第３領域は、前記対極層の周りを囲んで、位置する、
請求項１８に記載の電池。
【請求項２０】
前記電極層に電気的に接続される電極集電体と、
前記対極層に電気的に接続される対極集電体と、
をさらに備え、
前記第３領域は、前記電極集電体と前記対極集電体との間に、前記電極集電体と前記対極集電体とに接して、位置する、
請求項１３から１９のいずれかに記載の電池。
【請求項２１】
前記第１領域が配置される位置における、前記電極集電体と前記対極集電体との間の距離を、第１距離とし、
前記第２領域が配置される位置における、前記電極集電体と前記対極集電体との間の距離を、第２距離とし、
前記第３領域が配置される位置における、前記電極集電体と前記対極集電体との間の距離を、第３距離とすると、
前記第２距離は、前記第１距離よりも、小さく、
前記第３距離は、前記第２距離よりも、小さい、
請求項２０に記載の電池。
【請求項２２】
前記第１固体電解質材料と前記第２固体電解質材料と前記第３固体電解質材料とは、同じ材料である、
請求項１３から２１のいずれかに記載の電池。
【発明の詳細な説明】
【技術分野】
【０００１】
本開示は、電池に関する。
【背景技術】
【０００２】
特許文献１には、活物質を含む電極層中の固体電解質の密度が電極層中の位置に応じて異なる蓄電装置が、開示されている。
【０００３】
特許文献２には、固体電解質層を備える全固体二次電池が、開示されている。
【先行技術文献】
【特許文献】
【０００４】
【特許文献１】特許第４２７４２５６号明細書
【特許文献２】特開２０１６−１９２２６５号公報
【発明の概要】
【発明が解決しようとする課題】
【０００５】
従来技術においては、放熱性に優れる電池が望まれる。
【課題を解決するための手段】
【０００６】
本開示の一様態における電池は、電極層と、前記電極層の対極である対極層と、前記電極層と前記対極層との間に位置する固体電解質層と、を備え、前記固体電解質層は、第１固体電解質材料を含む第１領域と、第２固体電解質材料を含む第２領域と、を有し、前記第１領域は、前記電極層と前記対極層とが対向する領域内に、位置し、前記第２領域は、前記第１領域よりも前記電極層と前記対極層とが対向する領域の外周側に、前記第１領域に接して、位置し、前記第１領域における前記第１固体電解質材料の密度を第１密度とし、前記第２領域における前記第２固体電解質材料の密度を第２密度とすると、前記第２密度は、前記第１密度よりも、高い。
【発明の効果】
【０００７】
本開示によれば、放熱性に優れる電池を実現できる。
【図面の簡単な説明】
【０００８】
【図１】図１は、実施の形態１における電池１０００の概略構成を示す図である。
【図２】図２は、実施の形態１における電池１１００の概略構成を示す図である。
【図３】図３は、実施の形態１における電池１２００の概略構成を示す図である。
【図４】図４は、実施の形態２における電池２０００の概略構成を示す図である。
【図５】図５は、実施の形態２における電池２１００の概略構成を示す図である。
【図６】図６は、実施の形態２における電池２２００の概略構成を示す図である。
【図７】図７は、実施の形態３における電池３０００の概略構成を示す図である。
【図８】図８は、実施の形態３における電池３１００の概略構成を示す図である。
【図９】図９は、実施の形態３における電池３２００の概略構成を示す図である。
【図１０】図１０は、実施の形態３における電池３３００の概略構成を示す図である。
【図１１】図１１は、実施の形態３における電池３４００の概略構成を示す図である。
【図１２】図１２は、実施の形態３における電池３５００の概略構成を示す図である。
【図１３】図１３は、実施の形態４における電池４０００の概略構成を示す図である。
【図１４】図１４は、実施の形態４における電池４１００の概略構成を示す図である。
【図１５】図１５は、実施の形態４における電池４２００の概略構成を示す図である。
【図１６】図１６は、実施の形態４における電池４３００の概略構成を示す図である。
【図１７】図１７は、実施の形態５における電池５０００の概略構成を示す図である。
【図１８】図１８は、実施の形態５における電池５１００の概略構成を示す図である。
【図１９】図１９は、実施の形態５における電池５２００の概略構成を示す図である。
【図２０】図２０は、実施の形態５における電池５３００の概略構成を示す図である。
【図２１】図２１は、実施の形態６における電池６０００の概略構成を示す図である。
【図２２】図２２は、実施の形態６における電池６１００の概略構成を示す図である。
【図２３】図２３は、実施の形態６における電池６２００の概略構成を示す図である。
【図２４】図２４は、実施の形態６における電池６３００の概略構成を示す図である。
【図２５】図２５は、実施の形態６における電池６４００の概略構成を示す図である。
【図２６】図２６は、実施の形態６における電池６５００の概略構成を示す図である。
【図２７】図２７は、実施の形態６における電池６６００の概略構成を示す図である。
【図２８】図２８は、実施の形態６における電池６７００の概略構成を示す図である。
【図２９】図２９は、実施の形態７における電池７０００の概略構成を示す図である。
【図３０】図３０は、実施の形態７における電池７１００の概略構成を示す図である。
【発明を実施するための形態】
【０００９】
以下、実施の形態が、図面を参照しながら、説明される。
【００１０】
以下で説明される実施の形態は、いずれも一具体例を示すものである。以下の実施の形態で示される数値、形状、材料、構成要素、構成要素の配置位置および接続形態などは、一例であり、本発明を限定する主旨ではない。また、以下の実施の形態における構成要素のうち、最上位概念を示す独立請求項に記載されていない構成要素については、任意の構成要素として説明される。
【００１１】
（実施の形態１）
図１は、実施の形態１における電池１０００の概略構成を示す図である。
【００１２】
図１（ａ）は、実施の形態１における電池１０００の概略構成を示すｘ−ｚ図（１Ａ断面図）である。
【００１３】
図１（ｂ）は、実施の形態１における電池１０００の概略構成を示すｘ−ｙ図（上面透視図）である。
【００１４】
実施の形態１における電池１０００は、電極層１００と、対極層２００と、固体電解質層３００と、を備える。
【００１５】
対極層２００は、電極層１００の対極となる層である。
【００１６】
固体電解質層３００は、電極層１００と対極層２００との間に位置する。
【００１７】
固体電解質層３００は、第１領域３１０と、第２領域３２０と、を有する。
【００１８】
第１領域３１０は、第１固体電解質材料を含む領域である。
【００１９】
第１領域３１０は、電極層１００と対極層２００とが対向する領域内に、位置する。
【００２０】
第２領域３２０は、第２固体電解質材料を含む領域である。
【００２１】
第２領域３２０は、第１領域３１０よりも電極層１００と対極層２００とが対向する領域の外周側に、位置する。さらに、第２領域３２０は、第１領域３１０に接して、位置する。
【００２２】
第２密度は、第１密度よりも、高い。
【００２３】
ここで、第１密度は、第１領域３１０における第１固体電解質材料の密度である。
【００２４】
また、第２密度は、第２領域３２０における第２固体電解質材料の密度である。
【００２５】
以上の構成によれば、放熱性と強度と耐環境性とに優れる電池を実現できる。
【００２６】
すなわち、以上の構成によれば、固体電解質層３００の外縁部分における固体電解質材料の密度を、高めることができる。これにより、固体電解質層３００の外縁部分（すなわち、第２領域３２０）の熱伝導率を、固体電解質層３００の中央部分（すなわち、第１領域３１０）の熱伝導率よりも、高くできる。このため、電池の動作時に高温となりやすい部分である固体電解質層３００の中央部分からの熱が、固体電解質層３００の外縁部分に伝搬され（拡散され）やすくなる。また、第１領域３１０と第２領域３２０とがいずれも固体電解質材料（すなわち、金属イオン伝導性の材料）を含む領域であることで、第１領域３１０と第２領域３２０との接触部分における界面の整合性と密着性とを、良化することができる。すなわち、第１領域３１０と第２領域３２０との接合界面を通じて、固体電解質材料による金属イオンの伝導と伴に発熱成分を橋渡し経由して、第１領域３１０から第２領域３２０への熱輸送を実現できる。これらにより、電池の中央部分において発生する熱（例えば、第１領域３１０または電極層１００または対極層２００において発生する熱）を、より固体電解質材料密度が高い（すなわち、熱伝導率が高い）固体電解質層３００の外縁部分（すなわち、第２領域３２０）を介して、固体電解質層３００の表面（および、電池外部）に、より容易に、放熱することができる。これにより、流動性が無い固体電解質材料（例えば、無機固体電解質）を含む固体電解質層３００における温度の不均一性（温度のバラツキ）を低減できる。このため、例えば、電池が大面積化された場合であっても、電池内部の温度の均質性を保つことができる。これにより、温度のバラツキに起因して、電池内部の特性が場所によってバラつくことを抑制できる。この結果、電池性能の劣化を抑制できる。したがって、例えば、電池を長寿命化できる。
【００２７】
また、以上の構成によれば、電極層１００と対極層２００との間に位置する固体電解質層３００が上述の放熱の機能を有することで、１つの電池部材である固体電解質層３００により、電極層１００と対極層２００との両方から発生する熱を、電池の外縁部分に伝搬することができる。さらに、固体電解質層３００は電池内部における中央部分（すなわち、電極層１００と対極層２００との間）に位置する部材であるため、電極層１００側のみ（または、対極層２００側のみ）に放熱部材を備える構成と比較して、より容易に、電池の中央部分において発生する熱を、電池の外縁部分に伝搬することができる。
【００２８】
また、以上の構成によれば、第２領域３２０の固体電解質材料密度を高めることで、第２領域３２０の強度を高めることができる。これにより、より強度が高い第２領域３２０により、第１領域３１０の外縁の少なくとも一部を、覆うことができる。このため、比較的強度が弱い第１領域３１０の破損（例えば、第１固体電解質材料の崩落、など）を、第２領域３２０により、抑制できる。したがって、電池の強度を向上させることができる。
【００２９】
また、以上の構成によれば、第１領域３１０と電池外部（例えば、外気）との間に、より固体電解質材料密度が高い第２領域３２０を、介在させることができる。これにより、例えば、第１領域３１０への外気（例えば、大気、湿気、など）の通気を、第２領域３２０により、遮断することができる。このため、電池の耐環境性を向上させることができる。
【００３０】
なお、電極層１００は、電極活物質を含んでもよい。
【００３１】
また、対極層２００は、対極活物質を含んでもよい。
【００３２】
このとき、第１領域３１０における電極活物質の密度（例えば、電極活物質が粒子状であれば、電極活物質の粒子の充填密度）と対極活物質の密度（例えば、対極活物質が粒子状であれば、対極活物質の粒子の充填密度）との両方は、第１密度よりも低くてもよい。
【００３３】
また、第２領域３２０における電極活物質の密度と対極活物質の密度との両方は、第２密度よりも低くてもよい。
【００３４】
以上の構成によれば、電極活物質および対極活物質の密度が低い部分（すなわち、電極層１００と対極層２００との両方から離れた、固体電解質層３００のより中央に位置する部分）に、第１領域３１０と第２領域３２０とを配置することができる。すなわち、高い放熱性を有する第１領域３１０と第２領域３２０とを、電池内部のより中央の部分に配置できる。これにより、電極層１００側により近い位置のみ（または、対極層２００側により近い位置のみ）に放熱部材を備える構成と比較して、より容易に、電池の中央部分において発生する熱を、電池の外縁部分に伝搬することができる。
【００３５】
なお、第１領域３１０および第２領域３２０は、電極活物質および対極活物質を含まない領域であってもよい。
【００３６】
以上の構成によれば、電極活物質および対極活物質を含まない部分（すなわち、電極層１００と対極層２００との両方から離れた、固体電解質層３００のより中央に位置する部分）に、第１領域３１０と第２領域３２０とを配置することができる。すなわち、高い放熱性を有する第１領域３１０と第２領域３２０とを、電池内部のより中央の部分に配置できる。これにより、電極層１００側により近い位置のみ（または、対極層２００側により近い位置のみ）に放熱部材を備える構成と比較して、より容易に、電池の中央部分において発生する熱を、電池の外縁部分に伝搬することができる。
【００３７】
なお、電極層１００の形成範囲は、対極層２００の形成範囲と、同じ大きさであってもよいし、異なる大きさであってもよい。すなわち、電極層１００と対極層２００との形状は、同じ形状であってもよいし、異なる形状であってもよい。
【００３８】
なお、電極層１００は正極層であってもよい。このとき、電極活物質は正極活物質である。対極層２００は負極層である。対極活物質は負極活物質である。
【００３９】
もしくは、電極層１００は負極層であってもよい。このとき、電極活物質は負極活物質である。対極層２００は正極層である。対極活物質は正極活物質である。
【００４０】
正極層は、主に、正極材料（例えば、正極活物質）から構成される層であってもよい。正極層に含有される正極活物質としては、金属イオン（例えば、Ｌｉイオン、Ｍｇイオン、など）を離脱および挿入することができる各種材料が用いられうる。正極活物質の材料としては、公知の正極活物質が用いられうる。正極活物質としては、例えば、リチウム・ニッケル複合酸化物（ＬｉＮｉｘＭ１−ｘＯ２、（ここで、ＭはＣｏ、Ａｌ、Ｍｎ、Ｖ、Ｃｒ、Ｍｇ、Ｃａ、Ｔｉ、Ｚｒ、Ｎｂ、Ｍｏ、Ｗ、のうち少なくとも１つの元素であり、ｘは任意の自然数））、コバルト酸リチウム（ＬｉＣｏＯ２）、ニッケル酸リチウム（ＬｉＮｉＯ２）、マンガン酸リチウム（ＬｉＭｎ２Ｏ４）等の層状酸化物、オリビン構造を持つリン酸鉄リチウム（ＬｉＦｅＰＯ４）、スピネル構造を持つマンガン酸リチウム（ＬｉＭｎ２Ｏ４、Ｌｉ２ＭｎＯ３、ＬｉＭＯ２）などのリチウムイオンを含有する遷移金属酸化物が用いられる。また、硫黄（Ｓ）、硫化リチウム（Ｌｉ２Ｓ）などの硫化物を用いることもできる。また、正極活物質粒子に、ニオブ酸リチウム（ＬｉＮｂＯ３）などをコーティング（または、添加）したものを正極活物質として用いることができる。
【００４１】
なお、正極層は、正極活物質と他の添加材料との合剤から構成される合剤層であってもよい。正極層の添加材料としては、固体電解質（例えば、無機系固体電解質、など）、導電助材（例えば、アセチレンブラック、など）、結着用バインダー（例えば、ポリエチレンオキシド、ポリフッ化ビニリデン、など）、など、が用いられうる。正極層に固体電解質などを所定の割合で混合することで、正極層のイオン導電性を向上させることができる。
【００４２】
なお、正極層の厚みは、例えば、５〜３００μｍであってもよい。
【００４３】
負極層は、主に、負極材料（例えば、負極活物質）から構成される層であってもよい。負極層に含有される負極活物質としては、金属イオン（例えば、Ｌｉイオン、Ｍｇイオン、など）を離脱および挿入することができる各種材料が用いられうる。負極活物質の材料としては、公知の負極活物質が用いられうる。負極活物質としては、例えば、炭素材料（例えば、天然黒鉛、人造黒鉛、黒鉛炭素繊維、樹脂焼成炭素、など）、固体電解質と合材化される合金系材料、など、が用いられうる。合金系材料としては、例えば、リチウム合金（ＬｉＡｌ、ＬｉＺｎ、Ｌｉ３Ｂｉ、Ｌｉ３Ｃｄ、Ｌｉ３Ｓｂ、Ｌｉ４Ｓｉ、Ｌｉ４．４Ｐｂ、Ｌｉ４．４Ｓｎ、Ｌｉ０．１７Ｃ、ＬｉＣ６、など）、チタン酸リチウム（Ｌｉ４Ｔｉ５Ｏ１２）、金属（Ｚｎなど）の酸化物、など、が用いられうる。
【００４４】
なお、負極層は、負極活物質と他の添加材料との合剤から構成される合剤層であってもよい。負極層の添加材料としては、固体電解質（例えば、無機系固体電解質、など）、導電助材（例えば、アセチレンブラック、など）、結着用バインダー（例えば、ポリエチレンオキシド、ポリフッ化ビニリデン、など）、など、が用いられうる。負極層に固体電解質などを所定の割合で混合することで、負極層のイオン導電性を向上させることができる。
【００４５】
なお、負極層の厚みは、例えば、５〜３００μｍである。
【００４６】
なお、第１固体電解質材料および第２固体電解質材料としては、一般に公知の電池用の固体電解質（金属イオン（例えば、Ｌｉイオン、Ｍｇイオン、など）を伝導する固体電解質）が用いられうる。固体電解質としては、一般に公知の固体電解質（例えば、無機系固体電解質、など）が用いられうる。無機系固体電解質としては、硫化物固体電解質、酸化物固体電解質、など、が用いられうる。固体電解質としては、例えば、リチウム含有硫化物（例えば、Ｌｉ２Ｓ−Ｐ２Ｓ５系、Ｌｉ２Ｓ−ＳｉＳ２系、Ｌｉ２Ｓ−Ｂ２Ｓ３系、Ｌｉ２Ｓ−ＧｅＳ２系、Ｌｉ２Ｓ−ＳｉＳ２−ＬｉＩ系、Ｌｉ２Ｓ−ＳｉＳ２−Ｌｉ３ＰＯ４系、Ｌｉ２Ｓ−Ｇｅ２Ｓ２系、Ｌｉ２Ｓ−ＧｅＳ２−Ｐ２Ｓ５系、Ｌｉ２Ｓ−ＧｅＳ２−ＺｎＳ系、など）が、用いられうる。もしくは、固体電解質としては、例えば、リチウム含有金属酸化物（例えば、Ｌｉ２−ＳｉＯ２、Ｌｉ２−ＳｉＯ２−Ｐ２Ｏ５、など）、リチウム含有金属窒化物（例えば、ＬｉｘＰｙＯ１−ｚＮ２（ここで、ｘとｙとｚは、任意の自然数）、など）、リン酸リチウム（Ｌｉ３ＰＯ４）、リチウム含有遷移金属酸化物（例えば、リチウムチタン酸化物、など）、など、が用いられうる。固体電解質としては、これらの材料の１種のみが用いられてもよいし、これらの材料のうちの２種以上が組み合わされて用いられてもよい。
【００４７】
なお、固体電解質層３００（例えば、第１領域３１０と第２領域３２０と第３領域３３０とのうちの少なくとも１つ（例えば、全て））は、固体電解質材料に加えて、結着用バインダー（例えば、ポリエチレンオキシド、ポリフッ化ビニリデン、など）、など、を含有しうる。
【００４８】
なお、固体電解質層３００の厚みは、例えば、５〜１５０μｍであってもよい。
【００４９】
なお、第１固体電解質材料と第２固体電解質材料とは、互いに異なる材料であってもよい。これにより、例えば、第２固体電解質材料として放熱性の高い固体電解質材料を用いながら、第１固体電解質材料として、金属イオンの伝導性の高い固体電解質材料を用いることができる。
【００５０】
もしくは、第１固体電解質材料と第２固体電解質材料とは、互いに同じ材料であってもよい。
【００５１】
以上の構成によれば、第１領域３１０と第２領域３２０とに、同じ固体電解質材料を、含ませることができる。これにより、第１領域３１０と第２領域３２０との物性値（例えば、熱膨張係数、など）を、互いに、近づけることができる。このため、第１領域３１０と第２領域３２０との接触部分における界面の整合性と密着性とを、より良化することができる。すなわち、第１領域３１０と第２領域３２０との間の熱輸送を阻害する構造欠陥の発生を、より抑制できる。これにより、電池の中央部分において発生する熱（例えば、第１領域３１０または電極層１００または対極層２００において発生する熱）を、第２領域３２０を介して、固体電解質層３００の表面（および、電池外部）に、より容易に、放熱することができる。また、例えば、第１領域３１０と第２領域３２０との材料構成が同じである場合には、電池の製造工程（例えば、合剤の混成、合剤の塗布、など）を、より簡便化できる。
【００５２】
なお、第１固体電解質材料は、粒子として構成されてもよい。このとき、第１領域３１０は、第１固体電解質材料の粒子を含む領域である。このとき、第１密度は、第１領域３１０における第１固体電解質材料の粒子の密度（すなわち、充填密度）である。
【００５３】
なお、第２固体電解質材料は、粒子として構成されてもよい。このとき、第２領域３２０は、第２固体電解質材料の粒子を含む領域である。このとき、第２密度は、第２領域３２０における第２固体電解質材料の粒子の密度（すなわち、充填密度）である。
【００５４】
なお、第１領域３１０は、電極層１００と対極層２００とのうちの少なくとも一方に接して位置する領域であってもよい。例えば、図１に示されるように、第１領域３１０は、電極層１００と対極層２００との両方に接して位置する領域であってもよい。
【００５５】
なお、図１に示されるように、第２領域３２０は、電極層１００と対極層２００とが対向する領域内のみに、位置してもよい。
【００５６】
図２は、実施の形態１における電池１１００の概略構成を示す図である。
【００５７】
図２（ａ）は、実施の形態１における電池１１００の概略構成を示すｘ−ｚ図（２Ａ断面図）である。
【００５８】
図２（ｂ）は、実施の形態１における電池１１００の概略構成を示すｘ−ｙ図（上面透視図）である。
【００５９】
図２に示されるように、第２領域３２０は、電極層１００と対極層２００とが対向する領域内と、電極層１００と対極層２００とが対向する領域外と、の両方に、位置してもよい。これにより、第２領域３２０を、より電池中央部から離れて、配置できる。ことため、第２領域３２０による放熱性を、より高めることができる。
【００６０】
なお、第２領域３２０は、電極層１００と対極層２００とのうちの少なくとも一方に接して位置する領域であってもよい。例えば、図１または図２に示されるように、第２領域３２０は、電極層１００と対極層２００との両方に接して位置する領域であってもよい。
【００６１】
図３は、実施の形態１における電池１２００の概略構成を示す図である。
【００６２】
図３（ａ）は、実施の形態１における電池１２００の概略構成を示すｘ−ｚ図（３Ａ断面図）である。
【００６３】
図３（ｂ）は、実施の形態１における電池１２００の概略構成を示すｘ−ｙ図（上面透視図）である。
【００６４】
図３に示されるように、第２領域３２０は、電極層１００と対極層２００とが対向する領域外のみに、位置してもよい。これにより、第２領域３２０を、より電池中央部から離れて、配置できる。ことため、第２領域３２０による放熱性を、より高めることができる。さらに、電極層１００と対極層２００とが対向する領域内に位置する第１領域３１０の面積を、より大きくできる。すなわち、電極層１００と対極層２００との間の金属イオンの伝搬を担う第１領域３１０を、より大面積で配置できる。
【００６５】
以上のように、本開示においては、「第２領域３２０が、第１領域３１０よりも電極層１００と対極層２００とが対向する領域の外周側に、位置する」とは、上述の図１〜３に示される構成（すなわち、第２領域３２０の配置構成）を包含する。
【００６６】
なお、本開示において、「電極層１００と対極層２００とが対向する領域」とは、例えば、「電極層１００と対極層２００との積層方向（すなわち、図中のｚ方向）から見た場合に、電極層１００の主面の一部（または、主面の全領域）が、対極層２００の主面の一部（または、主面の全領域）と重なるように位置している領域（すなわち、重複領域）」の意味を、包含する。
【００６７】
なお、本開示において、「電極層１００と対極層２００とが対向する構成」とは、例えば、「互いに対向する電極層１００の主面と対極層２００と主面の間に、別の部材（例えば、固体電解質層３００、など）が配置されている構成」の意味を、包含する。
【００６８】
なお、図１〜３に示されるように、第２領域３２０は、固体電解質層３００の１つの端部のみに、配置されてもよい。例えば、固体電解質層３００が図１〜３に示されるような矩形形状（例えば、四角形形状）であれば、その形状の一辺のみに、第２領域３２０が配置されてもよい。
【００６９】
もしくは、第２領域３２０は、固体電解質層３００の端部のうちの２以上の端部に、配置されてもよい。例えば、固体電解質層３００が図１〜３に示されるような矩形形状（例えば、四角形形状）であれば、その形状の２辺以上に、第２領域３２０が配置されてもよい。これにより、２以上の端部において、放熱性（および、強度、耐環境性、など）を、高めることができる。
【００７０】
（実施の形態２）
以下、実施の形態２が説明される。上述の実施の形態１と重複する説明は、適宜、省略される。
【００７１】
図４は、実施の形態２における電池２０００の概略構成を示す図である。
【００７２】
図４（ａ）は、実施の形態２における電池２０００の概略構成を示すｘ−ｚ図（４Ａ断面図）である。
【００７３】
図４（ｂ）は、実施の形態２における電池２０００の概略構成を示すｘ−ｙ図（上面透視図）である。
【００７４】
実施の形態２における電池２０００は、上述の実施の形態１における電池１０００の構成に加えて、下記の構成をさらに備える。
【００７５】
すなわち、実施の形態２における電池２０００においては、第２領域３２０は、第１領域３１０の周りを囲んで、位置する。
【００７６】
以上の構成によれば、固体電解質層３００の四方の外縁部分（例えば、外縁部分の全て）における固体電解質材料の密度を、高めることができる。これにより、固体電解質層３００の中央部分からの熱が、それぞれの発熱部分に近い固体電解質層３００の外縁部分に伝搬され（拡散され）やすくなる。これにより、電池の中央部分において発生する熱（例えば、第１領域３１０または電極層１００または対極層２００において発生する熱）を、固体電解質層３００の表面（および、電池外部）に、より容易に、放熱することができる。
【００７７】
また、以上の構成によれば、より強度が高い第２領域３２０により、第１領域３１０の四方の外縁（例えば、外縁の全て）を、覆うことができる。このため、比較的強度が弱い第１領域３１０の四方の外縁の破損（例えば、第１固体電解質材料の崩落、など）を、第２領域３２０により、より抑制できる。したがって、電池の強度を、より向上させることができる。
【００７８】
また、以上の構成によれば、第１領域３１０の四方の外縁と電池外部（例えば、外気）との間に、より固体電解質材料密度が高い第２領域３２０を、介在させることができる。これにより、例えば、第１領域３１０の四方の外縁への外気（例えば、大気、湿気、など）の通気を、第２領域３２０により、遮断することができる。このため、電池の耐環境性を、より向上させることができる。
【００７９】
なお、図４に示されるように、第２領域３２０は、電極層１００と対極層２００とが対向する領域内のみに、位置してもよい。
【００８０】
図５は、実施の形態２における電池２１００の概略構成を示す図である。
【００８１】
図５（ａ）は、実施の形態２における電池２１００の概略構成を示すｘ−ｚ図（５Ａ断面図）である。
【００８２】
図５（ｂ）は、実施の形態２における電池２１００の概略構成を示すｘ−ｙ図（上面透視図）である。
【００８３】
図５に示されるように、第２領域３２０は、電極層１００と対極層２００とが対向する領域内と、電極層１００と対極層２００とが対向する領域外と、の両方に、位置してもよい。これにより、第２領域３２０を、電池の四方に、かつ、より電池中央部から離れて、配置できる。ことため、第２領域３２０による放熱性を、より高めることができる。
【００８４】
なお、第２領域３２０は、電極層１００と対極層２００とのうちの少なくとも一方に接して位置する領域であってもよい。例えば、図４または図５に示されるように、第２領域３２０は、電極層１００と対極層２００との両方に接して位置する領域であってもよい。
【００８５】
図６は、実施の形態２における電池２２００の概略構成を示す図である。
【００８６】
図６（ａ）は、実施の形態２における電池２２００の概略構成を示すｘ−ｚ図（６Ａ断面図）である。
【００８７】
図６（ｂ）は、実施の形態２における電池２２００の概略構成を示すｘ−ｙ図（上面透視図）である。
【００８８】
図６に示されるように、第２領域３２０は、電極層１００と対極層２００とが対向する領域外のみに、位置してもよい。これにより、第２領域３２０を、より電池中央部から離れて、配置できる。ことため、第２領域３２０による放熱性を、より高めることができる。さらに、電極層１００と対極層２００とが対向する領域内に位置する第１領域３１０の面積を、より大きくできる。すなわち、電極層１００と対極層２００との間の金属イオンの伝搬を担う第１領域３１０を、より大面積で配置できる。
【００８９】
以上のように、本開示においては、「第２領域３２０が、第１領域３１０の周りを囲んで、位置する」とは、上述の図４〜６に示される構成（すなわち、第２領域３２０の配置構成）を包含する。すなわち、「第２領域３２０が、第１領域３１０の周りを囲んで、位置する」とは、例えば、「第２領域３２０が、第１領域３１０の端部の全てに接して、配置される」との意味を、包含する。すなわち、例えば、第１領域３１０が図４〜６に示されるような矩形形状（例えば、四角形形状）であれば、その形状の全ての辺に接して、第２領域３２０が配置されてもよい。例えば、第１領域３１０の外周側面は、第２領域３２０の内周側面と接合されてもよい。
【００９０】
（実施の形態３）
以下、実施の形態３が説明される。上述の実施の形態１または２と重複する説明は、適宜、省略される。
【００９１】
図７は、実施の形態３における電池３０００の概略構成を示す図である。
【００９２】
図７（ａ）は、実施の形態３における電池３０００の概略構成を示すｘ−ｚ図（７Ａ断面図）である。
【００９３】
図７（ｂ）は、実施の形態３における電池３０００の概略構成を示すｘ−ｙ図（上面透視図）である。
【００９４】
実施の形態３における電池３０００は、上述の実施の形態１における電池１０００の構成に加えて、下記の構成をさらに備える。
【００９５】
すなわち、実施の形態３における電池３０００においては、第２領域３２０は、電極層１００の端部（例えば、側面）に接して、位置する。
【００９６】
以上の構成によれば、電極層１００の外縁部分（例えば、少なくとも１つの端部）に接して、固体電解質材料の密度の高い第２領域３２０を配置できる。これにより、電極層１００からの熱が、第２領域３２０に伝搬され（拡散され）やすくなる。これにより、電池の中央部分において発生する熱（すなわち、電極層１００において発生する熱）を、固体電解質層３００の表面（および、電池外部）に、より容易に、放熱することができる。
【００９７】
また、以上の構成によれば、より強度が高い第２領域３２０により、電極層１００の外縁部分（例えば、少なくとも１つの端部）を、覆うことができる。このため、比較的強度が弱い電極層１００の外縁部分の破損（例えば、電極材料の崩落、など）を、第２領域３２０により、より抑制できる。したがって、電池の強度を、より向上させることができる。
【００９８】
また、以上の構成によれば、電極層１００の外縁部分と電池外部（例えば、外気）との間に、より固体電解質材料密度が高い第２領域３２０を、介在させることができる。これにより、例えば、電極層１００の外縁部分への外気（例えば、大気、湿気、など）の通気を、第２領域３２０により、遮断することができる。このため、電池の耐環境性を、より向上させることができる。
【００９９】
なお、図７に示されるように、第２領域３２０は、電極層１００の１つの端部のみに接して、配置されてもよい。例えば、電極層１００が図７に示されるような矩形形状（例えば、四角形形状）であれば、その形状の一辺のみに接して、第２領域３２０が配置されてもよい。
【０１００】
もしくは、第２領域３２０は、電極層１００の端部のうちの２以上の端部に接して、配置されてもよい。例えば、電極層１００が図７に示されるような矩形形状（例えば、四角形形状）であれば、その形状の２辺以上に接して、第２領域３２０が配置されてもよい。これにより、２以上の端部において、放熱性（および、強度、耐環境性、など）を、高めることができる。
【０１０１】
図８は、実施の形態３における電池３１００の概略構成を示す図である。
【０１０２】
図８（ａ）は、実施の形態３における電池３１００の概略構成を示すｘ−ｚ図（８Ａ断面図）である。
【０１０３】
図８（ｂ）は、実施の形態３における電池３１００の概略構成を示すｘ−ｙ図（上面透視図）である。
【０１０４】
図８に示されるように、第２領域３２０は、電極層１００の周りを囲んで、位置してもよい。
【０１０５】
以上の構成によれば、電極層１００の四方の外縁部分（例えば、外縁部分の全て）に接して、固体電解質材料の密度の高い第２領域３２０を配置できる。これにより、電極層１００からの熱が、それぞれの発熱部分に近い第２領域３２０に伝搬され（拡散され）やすくなる。これにより、電池の中央部分において発生する熱（すなわち、電極層１００において発生する熱）を、固体電解質層３００の表面（および、電池外部）に、より容易に、放熱することができる。
【０１０６】
また、以上の構成によれば、より強度が高い第２領域３２０により、電極層１００の四方の外縁部分（例えば、外縁の全て）を、覆うことができる。このため、比較的強度が弱い電極層１００の四方の外縁部分の破損（例えば、電極材料の崩落、など）を、第２領域３２０により、より抑制できる。したがって、電池の強度を、より向上させることができる。
【０１０７】
また、以上の構成によれば、電極層１００の四方の外縁部分と電池外部（例えば、外気）との間に、より固体電解質材料密度が高い第２領域３２０を、介在させることができる。これにより、例えば、電極層１００の四方の外縁部分への外気（例えば、大気、湿気、など）の通気を、第２領域３２０により、遮断することができる。このため、電池の耐環境性を、より向上させることができる。
【０１０８】
図９は、実施の形態３における電池３２００の概略構成を示す図である。
【０１０９】
図９（ａ）は、実施の形態３における電池３２００の概略構成を示すｘ−ｚ図（９Ａ断面図）である。
【０１１０】
図９（ｂ）は、実施の形態３における電池３２００の概略構成を示すｘ−ｙ図（上面透視図）である。
【０１１１】
実施の形態３における電池３２００は、上述の実施の形態３における電池３０００の構成に加えて、下記の構成をさらに備える。
【０１１２】
すなわち、実施の形態３における電池３２００においては、第２領域３２０は、対極層２００の端部（例えば、側面）に接して、位置する。
【０１１３】
以上の構成によれば、対極層２００の外縁部分（例えば、少なくとも１つの端部）に接して、固体電解質材料の密度の高い第２領域３２０を配置できる。これにより、対極層２００からの熱が、第２領域３２０に伝搬され（拡散され）やすくなる。これにより、電池の中央部分において発生する熱（すなわち、対極層２００において発生する熱）を、固体電解質層３００の表面（および、電池外部）に、より容易に、放熱することができる。
【０１１４】
また、以上の構成によれば、より強度が高い第２領域３２０により、対極層２００の外縁部分（例えば、少なくとも１つの端部）を、覆うことができる。このため、比較的強度が弱い対極層２００の外縁部分の破損（例えば、対極材料の崩落、など）を、第２領域３２０により、より抑制できる。したがって、電池の強度を、より向上させることができる。
【０１１５】
また、以上の構成によれば、対極層２００の外縁部分と電池外部（例えば、外気）との間に、より固体電解質材料密度が高い第２領域３２０を、介在させることができる。これにより、例えば、対極層２００の外縁部分への外気（例えば、大気、湿気、など）の通気を、第２領域３２０により、遮断することができる。このため、電池の耐環境性を、より向上させることができる。
【０１１６】
なお、図９に示されるように、第２領域３２０は、対極層２００の１つの端部のみに接して、配置されてもよい。例えば、対極層２００が図９に示されるような矩形形状（例えば、四角形形状）であれば、その形状の一辺のみに接して、第２領域３２０が配置されてもよい。
【０１１７】
もしくは、第２領域３２０は、対極層２００の端部のうちの２以上の端部に接して、配置されてもよい。例えば、対極層２００が図９に示されるような矩形形状（例えば、四角形形状）であれば、その形状の２辺以上に接して、第２領域３２０が配置されてもよい。これにより、２以上の端部において、放熱性（および、強度、耐環境性、など）を、高めることができる。
【０１１８】
図１０は、実施の形態３における電池３３００の概略構成を示す図である。
【０１１９】
図１０（ａ）は、実施の形態３における電池３３００の概略構成を示すｘ−ｚ図（１０Ａ断面図）である。
【０１２０】
図１０（ｂ）は、実施の形態３における電池３３００の概略構成を示すｘ−ｙ図（上面透視図）である。
【０１２１】
図１０に示されるように、第２領域３２０は、対極層２００の周りを囲んで、位置してもよい。
【０１２２】
以上の構成によれば、対極層２００の四方の外縁部分（例えば、外縁部分の全て）に接して、固体電解質材料の密度の高い第２領域３２０を配置できる。これにより、対極層２００からの熱が、それぞれの発熱部分に近い第２領域３２０に伝搬され（拡散され）やすくなる。これにより、電池の中央部分において発生する熱（すなわち、対極層２００において発生する熱）を、固体電解質層３００の表面（および、電池外部）に、より容易に、放熱することができる。
【０１２３】
また、以上の構成によれば、より強度が高い第２領域３２０により、対極層２００の四方の外縁部分（例えば、外縁の全て）を、覆うことができる。このため、比較的強度が弱い対極層２００の四方の外縁部分の破損（例えば、対極材料の崩落、など）を、第２領域３２０により、より抑制できる。したがって、電池の強度を、より向上させることができる。
【０１２４】
また、以上の構成によれば、対極層２００の四方の外縁部分と電池外部（例えば、外気）との間に、より固体電解質材料密度が高い第２領域３２０を、介在させることができる。これにより、例えば、対極層２００の四方の外縁部分への外気（例えば、大気、湿気、など）の通気を、第２領域３２０により、遮断することができる。このため、電池の耐環境性を、より向上させることができる。
【０１２５】
なお、本開示においては、「第２領域３２０が、電極層１００（または、対極層２００）の周りを囲んで、位置する」とは、例えば、「第２領域３２０が、電極層１００（または、対極層２００）の端部の全てに接して、配置される」との意味を、包含する。すなわち、例えば、電極層１００（または、対極層２００）が矩形形状（例えば、四角形形状）であれば、その形状の全ての辺に接して、第２領域３２０が配置されてもよい。
【０１２６】
なお、図７〜１０に示されるように、第２領域３２０は、電極層１００と対極層２００とが対向する領域内にも、位置してもよい。もしくは、第２領域３２０は、電極層１００と対極層２００とが対向する領域外のみに、位置してもよい。
【０１２７】
図１１は、実施の形態３における電池３４００の概略構成を示す図である。
【０１２８】
図１１（ａ）は、実施の形態３における電池３４００の概略構成を示すｘ−ｚ図（１１Ａ断面図）である。
【０１２９】
図１１（ｂ）は、実施の形態３における電池３４００の概略構成を示すｘ−ｙ図（上面透視図）である。
【０１３０】
図１１に示されるように、第１領域３１０は、第１張出部分３１１を、有してもよい。
【０１３１】
第１張出部分３１１は、電極層１００と対極層２００とが対向する領域外に張り出す部分である。
【０１３２】
このとき、第２領域３２０は、第１張出部分３１１を覆って、位置してもよい。
【０１３３】
以上の構成によれば、第１領域３１０と第２領域３２０との接触面積を、より大きくすることができる。これにより、固体電解質層３００の中央部分からの熱が、固体電解質層３００の外縁部分に伝搬され（拡散され）やすくなる。これにより、電池の中央部分において発生する熱（例えば、第１領域３１０または電極層１００または対極層２００において発生する熱）を、固体電解質層３００の表面（および、電池外部）に、より容易に、放熱することができる。
【０１３４】
なお、図１１に示されるように、第２領域３２０は、電極層１００の端部（例えば、側面）と対極層２００の端部（例えば、側面）とに接して、位置してもよい。
【０１３５】
図１２は、実施の形態３における電池３５００の概略構成を示す図である。
【０１３６】
図１２（ａ）は、実施の形態３における電池３５００の概略構成を示すｘ−ｚ図（１２Ａ断面図）である。
【０１３７】
図１２（ｂ）は、実施の形態３における電池３５００の概略構成を示すｘ−ｙ図（上面透視図）である。
【０１３８】
図１２に示されるように、第１張出部分３１１は、電極層１００と対極層２００とが対向する領域の周囲に、位置してもよい。
【０１３９】
このとき、第２領域３２０は、電極層１００と対極層２００とが対向する領域の周囲に露出した第１張出部分３１１を覆って、位置してもよい。
【０１４０】
以上の構成によれば、第１領域３１０と第２領域３２０との接触面積を、より大きくすることができる。これにより、固体電解質層３００の中央部分からの熱が、それぞれの発熱部分に近い固体電解質層３００の外縁部分に伝搬され（拡散され）やすくなる。これにより、電池の中央部分において発生する熱（例えば、第１領域３１０または電極層１００または対極層２００において発生する熱）を、固体電解質層３００の表面（および、電池外部）に、より容易に、放熱することができる。
【０１４１】
なお、図１２に示されるように、第２領域３２０は、電極層１００と対極層２００との周りを囲んで、位置してもよい。
【０１４２】
（実施の形態４）
以下、実施の形態４が説明される。上述の実施の形態１から３のいずれかと重複する説明は、適宜、省略される。
【０１４３】
図１３は、実施の形態４における電池４０００の概略構成を示す図である。
【０１４４】
図１３（ａ）は、実施の形態４における電池４０００の概略構成を示すｘ−ｚ図（１３Ａ断面図）である。
【０１４５】
図１３（ｂ）は、実施の形態４における電池４０００の概略構成を示すｘ−ｙ図（上面透視図）である。
【０１４６】
実施の形態４における電池４０００は、上述の実施の形態１における電池１０００の構成に加えて、下記の構成をさらに備える。
【０１４７】
すなわち、実施の形態４における電池４０００は、電極集電体４００と、対極集電体５００と、をさらに備える。
【０１４８】
電極集電体４００は、電極層１００に電気的に接続される集電体である。
【０１４９】
対極集電体５００は、対極層２００に電気的に接続される集電体である。
【０１５０】
第２領域３２０は、電極集電体４００と対極集電体５００との間に、電極集電体４００と対極集電体５００とに接して、位置する。
【０１５１】
以上の構成によれば、電極集電体４００と対極集電体５００とが接触して短絡することを抑制できる。すなわち、固体電解質材料密度が高い（すなわち、強度が高い）第２領域３２０を、固体電解質層３００の外縁部分（言い換えれば、電極集電体４００と対極集電体５００との外縁部分）における、高強度の骨格構造として作用させることができる。これにより、電極集電体４００と対極集電体５００との外縁部分が、それぞれ、変形または構造欠陥することを、第２領域３２０により、抑制できる。このため、例えば、大面積化かつ薄層化された電池（例えば、高出力かつ高容量として設計された電池）であっても、もしくは、セパレータを備えない全固体電池であっても、第２領域３２０により、電極集電体４００と対極集電体５００とが接触して短絡することを抑制できる。したがって、電池の耐変形性および耐衝撃性を、より高めることができる。
【０１５２】
なお、図１３に示されるように、電極集電体４００は、電極層１００と直接接触されることで、電極層１００に電気的に接続されてもよい。もしくは、電極集電体４００と電極層１００との間に、導電性の別の部材が、介在していてもよい。
【０１５３】
なお、図１３に示されるように、電極集電体４００は、電極層１００よりも、大きい部材であってもよい。例えば、電極集電体４００の主面の面積は、電極層１００の主面の面積よりも、大きくてもよい。すなわち、電極層１００は、電極集電体４００よりも狭い範囲に、形成されてもよい。
【０１５４】
なお、図１３に示されるように、対極集電体５００は、対極層２００と直接接触されることで、対極層２００に電気的に接続されてもよい。もしくは、対極集電体５００と対極層２００との間に、導電性の別の部材が、介在していてもよい。
【０１５５】
なお、図１３に示されるように、対極集電体５００は、対極層２００よりも、大きい部材であってもよい。例えば、対極集電体５００の主面の面積は、対極層２００の主面の面積よりも、大きくてもよい。すなわち、対極層２００は、対極集電体５００よりも狭い範囲に、形成されてもよい。
【０１５６】
なお、図１３に示されるように、第２領域３２０は、電極集電体４００と対極集電体５００とが対向する領域のうち、電極層１００と対極層２００とを介さずに電極集電体４００と対極集電体５００とが対向する領域に、配置されてもよい。
【０１５７】
なお、本開示において、「電極集電体４００と対極集電体５００とが対向する領域」とは、例えば、「電極集電体４００と対極集電体５００との積層方向（すなわち、図中のｚ方向）から見た場合に、電極集電体４００の主面の一部（または、主面の全領域）が、対極集電体５００の主面の一部（または、主面の全領域）と重なるように位置している領域（すなわち、重複領域）」の意味を、包含する。
【０１５８】
なお、本開示において、「電極集電体４００と対極集電体５００とが対向する構成」とは、例えば、「互いに対向する電極集電体４００の主面と対極集電体５００と主面の間に、別の部材（例えば、電極層１００、対極層２００、固体電解質層３００、など）が配置されている構成」の意味を、包含する。
【０１５９】
なお、電極層１００は正極層であってもよい。このとき、電極活物質は正極活物質である。電極集電体４００は、正極集電体である。対極層２００は負極層である。対極活物質は負極活物質である。対極集電体５００は、負極集電体である。
【０１６０】
もしくは、電極層１００は負極層であってもよい。このとき、電極活物質は負極活物質である。電極集電体４００は、負極集電体である。対極層２００は正極層である。対極活物質は正極活物質である。対極集電体５００は、正極集電体である。
【０１６１】
正極集電体としては、金属材料（例えば、アルミニウム、銅、ステンレス鋼、など）からなる金属膜（例えば、金属箔）、など、が用いられうる。また、正極集電体としては、これらの金属材料を含む合金からなる金属膜が用いられうる。また、正極集電体としては、これらの金属材料を、他の異なる材料からなる膜に、製膜処理したもの（または、張り合わせたもの）が、用いられうる。
【０１６２】
正極集電体の厚みは、例えば、５〜１００μｍであってもよい。
【０１６３】
負極集電体としては、金属材料（例えば、ニッケル、銅、ステンレス鋼、など）からなる金属膜（例えば、金属箔）、など、が用いられうる。また、負極集電体としては、これらの金属材料を含む合金からなる金属膜が用いられうる。また、負極集電体としては、これらの金属材料を、他の異なる材料からなる膜に、製膜処理したもの（または、張り合わせたもの）が、用いられうる。
【０１６４】
負極集電体の厚みは、例えば、５〜１００μｍであってもよい。
【０１６５】
なお、図１３に示されるように、第２領域３２０は、電極集電体４００（および、対極集電体５００）の１つの端部のみに、配置されてもよい。例えば、電極集電体４００（および、対極集電体５００）が図１３に示されるような矩形形状（例えば、四角形形状）であれば、その形状の一辺のみに、第２領域３２０が配置されてもよい。
【０１６６】
もしくは、第２領域３２０は、電極集電体４００（および、対極集電体５００）の端部のうちの２以上の端部に、配置されてもよい。例えば、電極集電体４００（および、対極集電体５００）が図１３に示されるような矩形形状（例えば、四角形形状）であれば、その形状の２辺以上に、第２領域３２０が配置されてもよい。これにより、２以上の端部において、電極集電体４００と対極集電体５００とが接触して短絡することを抑制できる。
【０１６７】
図１４は、実施の形態４における電池４１００の概略構成を示す図である。
【０１６８】
図１４（ａ）は、実施の形態４における電池４１００の概略構成を示すｘ−ｚ図（１４Ａ断面図）である。
【０１６９】
図１４（ｂ）は、実施の形態４における電池４１００の概略構成を示すｘ−ｙ図（上面透視図）である。
【０１７０】
図１４に示されるように、第２領域３２０は、第１領域３１０と電極層１００と対極層２００の周りを囲んで、位置してもよい。このとき、第１領域３１０と電極層１００と対極層２００の周りを囲む第２領域３２０は、電極集電体４００と対極集電体５００とに接して、位置してもよい。これにより、第１領域３１０と電極層１００と対極層２００との積層体の周囲（例えば、四方）の位置において、電極集電体４００と対極集電体５００とが接触して短絡することを抑制できる。
【０１７１】
図１５は、実施の形態４における電池４２００の概略構成を示す図である。
【０１７２】
図１５（ａ）は、実施の形態４における電池４２００の概略構成を示すｘ−ｚ図（１５Ａ断面図）である。
【０１７３】
図１５（ｂ）は、実施の形態４における電池４２００の概略構成を示すｘ−ｙ図（上面透視図）である。
【０１７４】
図１５に示されるように、第１領域３１０は、電極層１００と対極層２００とが対向する領域に、配置されてもよい。
【０１７５】
また、図１５に示されるように、第２領域３２０は、電極集電体４００と対極集電体５００とが対向する領域のうち、電極層１００と対極層２００とを介さずに電極集電体４００と対極集電体５００とが対向する領域の全体に、配置されてもよい。これにより、第１領域３１０と電極層１００と対極層２００との積層体の周囲（例えば、四方）の位置において、電極集電体４００と対極集電体５００とが接触して短絡することを、より抑制できる。
【０１７６】
図１６は、実施の形態４における電池４３００の概略構成を示す図である。
【０１７７】
図１６（ａ）は、実施の形態４における電池４３００の概略構成を示すｘ−ｚ図（１６Ａ断面図）である。
【０１７８】
図１６（ｂ）は、実施の形態４における電池４３００の概略構成を示すｘ−ｙ図（上面透視図）である。
【０１７９】
図１６に示されるように、第２距離Ｄ２は、第１距離Ｄ１よりも、小さくてもよい。
【０１８０】
ここで、第１距離Ｄ１は、第１領域３１０が配置される位置における、電極集電体４００と対極集電体５００との間の距離である。
【０１８１】
また、第２距離Ｄ２は、第２領域３２０が配置される位置における、電極集電体４００と対極集電体５００との間の距離である。
【０１８２】
以上の構成によれば、固体電解質層３００の外縁部分（言い換えれば、電極集電体４００と対極集電体５００との外縁部分）が狭められた電池（すなわち、外周の側面が狭められた電池）を構成できる。これにより、固体電解質層３００の外縁部分の露出面積を減少させることができる。このため、例えば、第１領域３１０への外気（例えば、大気、湿気、など）の通気を、第２領域３２０により、より確実に、遮断することができる。また、電池の外周側面の耐久性（例えば、耐衝撃性）などを、より向上できる。このため、電池の耐環境性を、より向上させることができる。
【０１８３】
（実施の形態５）
以下、実施の形態５が説明される。上述の実施の形態１から４のいずれかと重複する説明は、適宜、省略される。
【０１８４】
図１７は、実施の形態５における電池５０００の概略構成を示す図である。
【０１８５】
図１７（ａ）は、実施の形態５における電池５０００の概略構成を示すｘ−ｚ図（１７Ａ断面図）である。
【０１８６】
図１７（ｂ）は、実施の形態５における電池５０００の概略構成を示すｘ−ｙ図（上面透視図）である。
【０１８７】
実施の形態５における電池５０００は、上述の実施の形態１における電池１０００の構成に加えて、下記の構成をさらに備える。
【０１８８】
すなわち、実施の形態５における電池５０００においては、対極層２００の形成範囲は、電極層１００の形成範囲よりも、大きい。
【０１８９】
このとき、電極層１００は、対極層２００の形成範囲内に、位置する。
【０１９０】
以上の構成によれば、対極層２００が電極層１００よりも大面積で形成されることで、対極層２００における金属（例えば、リチウム）の析出を、抑制できる。このため、金属の析出に起因する、電極層１００と対極層２００との間の短絡を防止できる。
【０１９１】
なお、対極層２００は、電極層１００よりも、大きい部材であってもよい。例えば、対極層２００の主面の面積は、電極層１００の主面の面積よりも、大きくてもよい。すなわち、電極層１００は、対極層２００よりも狭い範囲に、形成されてもよい。例えば、図１７に示されるように、対極層２００の１つの端部が、電極層１００よりも大きくてもよい。このとき、当該端部が、電極層１００と対向せずに、配置されてもよい。
【０１９２】
図１８は、実施の形態５における電池５１００の概略構成を示す図である。
【０１９３】
図１８（ａ）は、実施の形態５における電池５１００の概略構成を示すｘ−ｚ図（１８Ａ断面図）である。
【０１９４】
図１８（ｂ）は、実施の形態５における電池５１００の概略構成を示すｘ−ｙ図（上面透視図）である。
【０１９５】
図１８に示されるように、対極層２００の四方の端部（例えば、全ての端部）が、電極層１００と対向せずに、配置されてもよい。これにより、対極層２００における金属（例えば、リチウム）の析出を、より抑制できる。このため、金属の析出に起因する、電極層１００と対極層２００との間の短絡を、より確実に防止できる。
【０１９６】
なお、図１７および図１８に示されるように、対極層２００と対向する領域のうちの電極層１００が位置しない領域（例えば、電極層１００を介在せずに対極層２００と電極集電体４００とが対向する領域）には、第２領域３２０が配置されてもよい。
【０１９７】
図１９は、実施の形態５における電池５２００の概略構成を示す図である。
【０１９８】
図１９（ａ）は、実施の形態５における電池５２００の概略構成を示すｘ−ｚ図（１９Ａ断面図）である。
【０１９９】
図１９（ｂ）は、実施の形態５における電池５２００の概略構成を示すｘ−ｙ図（上面透視図）である。
【０２００】
図１９に示されるように、対極層２００と対向する領域のうちの電極層１００が位置しない領域（例えば、電極層１００を介在せずに対極層２００と電極集電体４００とが対向する領域）には、第１領域３１０が配置されてもよい。これにより、電極層１００と対極層２００とが対向する領域内に位置する第１領域３１０の面積を、より大きくできる。すなわち、電極層１００と対極層２００との間の金属イオンの伝搬を担う第１領域３１０を、より大面積で配置できる。これにより、対極層２００における金属（例えば、リチウム）の析出を、より抑制できる。
【０２０１】
図２０は、実施の形態５における電池５３００の概略構成を示す図である。
【０２０２】
図２０（ａ）は、実施の形態５における電池５３００の概略構成を示すｘ−ｚ図（２０Ａ断面図）である。
【０２０３】
図２０（ｂ）は、実施の形態５における電池５３００の概略構成を示すｘ−ｙ図（上面透視図）である。
【０２０４】
図２０に示されるように、第２領域３２０は、対極層２００と対向する領域のうちの電極層１００が位置しない領域（例えば、電極層１００を介在せずに対極層２００と電極集電体４００とが対向する領域）のみに、配置されてもよい。すなわち、電極集電体４００と対極集電体５００とが対向する領域のうち、電極層１００と対極層２００とを介さずに電極集電体４００と対極集電体５００とが対向する領域には、第２領域３２０が設けられなくてもよい。
【０２０５】
（実施の形態６）
以下、実施の形態６が説明される。上述の実施の形態１から５のいずれかと重複する説明は、適宜、省略される。
【０２０６】
図２１は、実施の形態６における電池６０００の概略構成を示す図である。
【０２０７】
図２１（ａ）は、実施の形態６における電池６０００の概略構成を示すｘ−ｚ図（２１Ａ断面図）である。
【０２０８】
図２１（ｂ）は、実施の形態６における電池６０００の概略構成を示すｘ−ｙ図（上面透視図）である。
【０２０９】
実施の形態６における電池６０００は、上述の実施の形態１における電池１０００の構成に加えて、下記の構成をさらに備える。
【０２１０】
すなわち、実施の形態６における電池６０００においては、固体電解質層３００は、第３領域３３０を有する。
【０２１１】
第３領域３３０は、第３固体電解質材料を含む領域である。
【０２１２】
第３領域３３０は、第２領域３２０に接して、位置する。
【０２１３】
第２領域３２０は、第１領域３１０と第３領域３３０との間に、位置する。
【０２１４】
第３密度は、第２密度よりも、高い。
【０２１５】
ここで、第３密度は、第３領域３３０における第３固体電解質材料の密度である。
【０２１６】
以上の構成によれば、第１領域３１０と第２領域３２０と第３領域３３０の固体電解質材料の密度を、段階的に、変化させることができる。すなわち、固体電解質層３００の中央部分から外縁部分に向かって、固体電解質材料の密度を、段階的に、高めることができる。すなわち、第１領域３１０と第３領域３３０との間に第２領域３２０を介在させることで、第１領域３１０と第３領域３３０とが直接接触する場合と比較して、互いに接触する各領域間の固体電解質材料密度の差を、小さくできる。これにより、互いに接触する各領域間の物性値（例えば、熱膨張係数、など）を、互いに、近づけることができる。このため、第１領域３１０と第２領域３２０と第３領域３３０とのそれぞれの接触部分における界面の整合性と密着性とを、より良化することができる。すなわち、第１領域３１０と第２領域３２０と第３領域３３０との間の熱輸送を阻害する構造欠陥の発生を、より抑制できる。これにより、電池の中央部分において発生する熱（例えば、第１領域３１０または電極層１００または対極層２００において発生する熱）を、第２領域３２０を介して、第３領域３３０および固体電解質層３００の表面（および、電池外部）に、より容易に、放熱することができる。
【０２１７】
また、以上の構成によれば、第１領域３１０と第３領域３３０との間に第２領域３２０を介在させることで、第１領域３１０と第３領域３３０との間の固体電解質材料密度の差を、より大きく設定することができる。すなわち、第３領域３３０における第３固体電解質材料の密度を、十分に大きくできる。これにより、固体電解質層３００の外縁部分に、固体電解質材料密度がより高められた第３領域３３０を配置できる。このため、電池の中央部分において発生する熱を、第３領域３３０を介して、固体電解質層３００の表面（および、電池外部）に、より容易に、放熱することができる。
【０２１８】
なお、電極層１００は、電極活物質を含んでもよい。
【０２１９】
また、対極層２００は、対極活物質を含んでもよい。
【０２２０】
このとき、第１領域３１０における電極活物質の密度と対極活物質の密度との両方は、第１密度よりも低くてもよい。
【０２２１】
また、第２領域３２０における電極活物質の密度と対極活物質の密度との両方は、第２密度よりも低くてもよい。
【０２２２】
また、第３領域３３０における電極活物質の密度と対極活物質の密度との両方は、第３密度よりも低くてもよい。
【０２２３】
以上の構成によれば、電極活物質および対極活物質の密度が低い部分（すなわち、電極層１００と対極層２００との両方から離れた、固体電解質層３００のより中央に位置する部分）に、第１領域３１０と第２領域３２０と第３領域３３０とを配置することができる。すなわち、高い放熱性を有する第１領域３１０と第２領域３２０と第３領域３３０とを、電池内部のより中央の部分に配置できる。これにより、電極層１００側により近い位置のみ（または、対極層２００側により近い位置のみ）に放熱部材を備える構成と比較して、より容易に、電池の中央部分において発生する熱を、電池の外縁部分に伝搬することができる。
【０２２４】
なお、第１領域３１０および第２領域３２０および第３領域３３０は、電極活物質および対極活物質を含まない領域であってもよい。
【０２２５】
以上の構成によれば、電極活物質および対極活物質を含まない部分（すなわち、電極層１００と対極層２００との両方から離れた、固体電解質層３００のより中央に位置する部分）に、第１領域３１０と第２領域３２０と第３領域３３０とを配置することができる。すなわち、高い放熱性を有する第１領域３１０と第２領域３２０と第３領域３３０とを、電池内部のより中央の部分に配置できる。これにより、電極層１００側により近い位置のみ（または、対極層２００側により近い位置のみ）に放熱部材を備える構成と比較して、より容易に、電池の中央部分において発生する熱を、電池の外縁部分に伝搬することができる。
【０２２６】
なお、第３固体電解質材料としては、第１固体電解質材料として用いられうる上述の固体電解質が、用いられうる。
【０２２７】
なお、第１固体電解質材料と第２固体電解質材料と第３固体電解質材料とは、互いに異なる材料であってもよい。これにより、例えば、第２固体電解質材料および第３固体電解質材料として放熱性の高い固体電解質材料を用いながら、第１固体電解質材料として、金属イオンの伝導性の高い固体電解質材料を用いることができる。
【０２２８】
もしくは、第１固体電解質材料と第２固体電解質材料と第３固体電解質材料とは、互いに同じ材料であってもよい。
【０２２９】
以上の構成によれば、第１領域３１０と第２領域３２０と第３領域３３０とに、同じ固体電解質材料を、含ませることができる。これにより、第１領域３１０と第２領域３２０と第３領域３３０との物性値（例えば、熱膨張係数、など）を、互いに、近づけることができる。このため、第１領域３１０と第２領域３２０と第３領域３３０とのそれぞれの接触部分における界面の整合性と密着性とを、より良化することができる。すなわち、第１領域３１０と第２領域３２０と第３領域３３０との間の熱輸送を阻害する構造欠陥の発生を、より抑制できる。これにより、電池の中央部分において発生する熱（例えば、第１領域３１０または電極層１００または対極層２００において発生する熱）を、第２領域３２０および第３領域３３０を介して、固体電解質層３００の表面（および、電池外部）に、より容易に、放熱することができる。また、例えば、第１領域３１０と第２領域３２０と第３領域３３０との材料構成が同じである場合には、電池の製造工程（例えば、合剤の混成、合剤の塗布、など）を、より簡便化できる。
【０２３０】
なお、第３固体電解質材料は、粒子として構成されてもよい。このとき、第３領域３３０は、第３固体電解質材料の粒子を含む領域である。このとき、第３密度は、第３領域３３０における第３固体電解質材料の粒子の密度である。
【０２３１】
なお、図２１に示されるように、第３領域３３０は、電極層１００と対極層２００とが対向する領域外のみに、位置してもよい。もしくは、第３領域３３０は、電極層１００と対極層２００とが対向する領域内と、電極層１００と対極層２００とが対向する領域外と、の両方に、位置してもよい。これにより、第３領域３３０を、より電池中央部から離れて、配置できる。ことため、第３領域３３０による放熱性を、より高めることができる。
【０２３２】
もしくは、第３領域３３０は、電極層１００と対極層２００とが対向する領域内のみに、位置してもよい。
【０２３３】
なお、図２１に示されるように、第３領域３３０は、第２領域３２０の１つの端部のみに接して、配置されてもよい。例えば、第２領域３２０が図２１に示されるような矩形形状（例えば、四角形形状）であれば、その形状の一辺のみに接して、第３領域３３０が配置されてもよい。
【０２３４】
もしくは、第３領域３３０は、第２領域３２０の端部のうちの２以上の端部に接して、配置されてもよい。例えば、第２領域３２０が図２１に示されるような矩形形状（例えば、四角形形状）であれば、その形状の２辺以上に接して、第３領域３３０が配置されてもよい。これにより、２以上の端部において、放熱性（および、強度、耐環境性、など）を、高めることができる。
【０２３５】
図２２は、実施の形態６における電池６１００の概略構成を示す図である。
【０２３６】
図２２（ａ）は、実施の形態６における電池６１００の概略構成を示すｘ−ｚ図（２２Ａ断面図）である。
【０２３７】
図２２（ｂ）は、実施の形態６における電池６１００の概略構成を示すｘ−ｙ図（上面透視図）である。
【０２３８】
図２２に示されるように、第３領域３３０は、第２領域３２０の周りを囲んで、位置してもよい。
【０２３９】
以上の構成によれば、固体電解質層３００の中央部分から四方の外縁部分（例えば、外縁部分の全て）に向かって、固体電解質材料の密度を、段階的に、高めることができる。すなわち、固体電解質層３００の四方の外縁部分（例えば、外縁部分の全て）において、第１領域３１０と第２領域３２０と第３領域３３０との接触部分における界面の整合性と密着性とを、より良化することができる。これにより、電池の中央部分において発生する熱（例えば、第１領域３１０または電極層１００または対極層２００において発生する熱）を、第２領域３２０を介して、第３領域３３０および固体電解質層３００の四方の外縁部分の表面（および、電池外部）に、より容易に、放熱することができる。
【０２４０】
なお、本開示においては、「第３領域３３０が、第２領域３２０の周りを囲んで、位置する」とは、例えば、「第３領域３３０が、第２領域３２０の端部の全てに接して、配置される」との意味を、包含する。すなわち、例えば、第２領域３２０の外郭形状が図２２に示されるような矩形形状（例えば、四角形形状）であれば、その形状の全ての辺に接して、第３領域３３０が配置されてもよい。例えば、第２領域３２０の外周側面は、第３領域３３０の内周側面と接合されてもよい。
【０２４１】
図２３は、実施の形態６における電池６２００の概略構成を示す図である。
【０２４２】
図２３（ａ）は、実施の形態６における電池６２００の概略構成を示すｘ−ｚ図（２３Ａ断面図）である。
【０２４３】
図２３（ｂ）は、実施の形態６における電池６２００の概略構成を示すｘ−ｙ図（上面透視図）である。
【０２４４】
図２３に示されるように、第２領域３２０は、第２張出部分３２１を有してもよい。
【０２４５】
第２張出部分３２１は、電極層１００と対極層２００とが対向する領域外に張り出す部分である。
【０２４６】
このとき、第３領域３３０は、第２張出部分３２１を覆って、位置してもよい。
【０２４７】
以上の構成によれば、第２領域３２０と第３領域３３０との接触面積を、より大きくすることができる。これにより、固体電解質層３００の中央部分からの熱が、固体電解質層３００の外縁部分に伝搬され（拡散され）やすくなる。これにより、電池の中央部分において発生する熱（例えば、第１領域３１０または電極層１００または対極層２００において発生する熱）を、固体電解質層３００の表面（および、電池外部）に、より容易に、放熱することができる。
【０２４８】
図２４は、実施の形態６における電池６３００の概略構成を示す図である。
【０２４９】
図２４（ａ）は、実施の形態６における電池６３００の概略構成を示すｘ−ｚ図（２４Ａ断面図）である。
【０２５０】
図２４（ｂ）は、実施の形態６における電池６３００の概略構成を示すｘ−ｙ図（上面透視図）である。
【０２５１】
図２４に示されるように、第２張出部分３２１は、電極層１００と対極層２００とが対向する領域の周囲に、位置してもよい。
【０２５２】
このとき、第３領域３３０は、電極層１００と対極層２００とが対向する領域の周囲に露出した第２張出部分３２１を覆って、位置してもよい。
【０２５３】
以上の構成によれば、第２領域３２０と第３領域３３０との接触面積を、より大きくすることができる。これにより、固体電解質層３００の中央部分からの熱が、それぞれの発熱部分に近い固体電解質層３００の外縁部分に伝搬され（拡散され）やすくなる。これにより、電池の中央部分において発生する熱（例えば、第１領域３１０または電極層１００または対極層２００において発生する熱）を、固体電解質層３００の表面（および、電池外部）に、より容易に、放熱することができる。
【０２５４】
図２５は、実施の形態６における電池６４００の概略構成を示す図である。
【０２５５】
図２５（ａ）は、実施の形態６における電池６４００の概略構成を示すｘ−ｚ図（２５Ａ断面図）である。
【０２５６】
図２５（ｂ）は、実施の形態６における電池６４００の概略構成を示すｘ−ｙ図（上面透視図）である。
【０２５７】
図２５に示されるように、第１領域３１０は、第１張出部分３１１を、有してもよい。
【０２５８】
第１張出部分３１１は、電極層１００と対極層２００とが対向する領域外に張り出す部分である。
【０２５９】
このとき、第２領域３２０は、第１張出部分３１１を覆って、位置してもよい。
【０２６０】
さらに、第１張出部分３１１を覆う第２領域３２０は、第２張出部分３２１を有してもよい。
【０２６１】
第２張出部分３２１は、電極層１００と対極層２００とが対向する領域外に張り出す部分である。
【０２６２】
このとき、第３領域３３０は、第２張出部分３２１を覆って、位置してもよい。
【０２６３】
以上の構成によれば、第１領域３１０と第２領域３２０との接触面積および第２領域３２０と第３領域３３０との接触面積の両方を、より大きくすることができる。これにより、固体電解質層３００の中央部分からの熱が、固体電解質層３００の外縁部分に伝搬され（拡散され）やすくなる。これにより、電池の中央部分において発生する熱（例えば、第１領域３１０または電極層１００または対極層２００において発生する熱）を、固体電解質層３００の表面（および、電池外部）に、より容易に、放熱することができる。
【０２６４】
なお、第３領域３３０は、電極層１００の端部（例えば、側面）に接して、位置してもよい。
【０２６５】
以上の構成によれば、電極層１００の外縁部分（例えば、少なくとも１つの端部）に接して、固体電解質材料の密度の高い第３領域３３０を配置できる。これにより、電極層１００からの熱が、第３領域３３０に伝搬され（拡散され）やすくなる。これにより、電池の中央部分において発生する熱（すなわち、電極層１００において発生する熱）を、固体電解質層３００の表面（および、電池外部）に、より容易に、放熱することができる。
【０２６６】
また、以上の構成によれば、より強度が高い第３領域３３０により、電極層１００の外縁部分（例えば、少なくとも１つの端部）を、覆うことができる。このため、比較的強度が弱い電極層１００の外縁部分の破損（例えば、電極材料の崩落、など）を、第３領域３３０により、より抑制できる。したがって、電池の強度を、より向上させることができる。
【０２６７】
また、以上の構成によれば、電極層１００の外縁部分と電池外部（例えば、外気）との間に、より固体電解質材料密度が高い第３領域３３０を、介在させることができる。これにより、例えば、電極層１００の外縁部分への外気（例えば、大気、湿気、など）の通気を、第３領域３３０により、遮断することができる。このため、電池の耐環境性を、より向上させることができる。
【０２６８】
なお、第３領域３３０は、電極層１００の１つの端部のみに接して、配置されてもよい。例えば、電極層１００が矩形形状（例えば、四角形形状）であれば、その形状の一辺のみに接して、第３領域３３０が配置されてもよい。
【０２６９】
もしくは、第３領域３３０は、電極層１００の端部のうちの２以上の端部に接して、配置されてもよい。例えば、電極層１００が矩形形状（例えば、四角形形状）であれば、その形状の２辺以上に接して、第３領域３３０が配置されてもよい。これにより、２以上の端部において、放熱性（および、強度、耐環境性、など）を、高めることができる。
【０２７０】
もしくは、第３領域３３０は、電極層１００の周りを囲んで、位置してもよい。
【０２７１】
以上の構成によれば、電極層１００の四方の外縁部分（例えば、外縁部分の全て）に接して、固体電解質材料の密度の高い第３領域３３０を配置できる。これにより、電極層１００からの熱が、それぞれの発熱部分に近い第３領域３３０に伝搬され（拡散され）やすくなる。これにより、電池の中央部分において発生する熱（すなわち、電極層１００において発生する熱）を、固体電解質層３００の表面（および、電池外部）に、より容易に、放熱することができる。
【０２７２】
また、以上の構成によれば、より強度が高い第３領域３３０により、電極層１００の四方の外縁部分（例えば、外縁の全て）を、覆うことができる。このため、比較的強度が弱い電極層１００の四方の外縁部分の破損（例えば、電極材料の崩落、など）を、第３領域３３０により、より抑制できる。したがって、電池の強度を、より向上させることができる。
【０２７３】
また、以上の構成によれば、電極層１００の四方の外縁部分と電池外部（例えば、外気）との間に、より固体電解質材料密度が高い第３領域３３０を、介在させることができる。これにより、例えば、電極層１００の四方の外縁部分への外気（例えば、大気、湿気、など）の通気を、第３領域３３０により、遮断することができる。このため、電池の耐環境性を、より向上させることができる。
【０２７４】
なお、第３領域３３０は、対極層２００の端部（例えば、側面）に接して、位置してもよい。
【０２７５】
以上の構成によれば、対極層２００の外縁部分（例えば、少なくとも１つの端部）に接して、固体電解質材料の密度の高い第３領域３３０を配置できる。これにより、対極層２００からの熱が、第３領域３３０に伝搬され（拡散され）やすくなる。これにより、電池の中央部分において発生する熱（すなわち、対極層２００において発生する熱）を、固体電解質層３００の表面（および、電池外部）に、より容易に、放熱することができる。
【０２７６】
また、以上の構成によれば、より強度が高い第３領域３３０により、対極層２００の外縁部分（例えば、少なくとも１つの端部）を、覆うことができる。このため、比較的強度が弱い対極層２００の外縁部分の破損（例えば、対極材料の崩落、など）を、第３領域３３０により、より抑制できる。したがって、電池の強度を、より向上させることができる。
【０２７７】
また、以上の構成によれば、対極層２００の外縁部分と電池外部（例えば、外気）との間に、より固体電解質材料密度が高い第３領域３３０を、介在させることができる。これにより、例えば、対極層２００の外縁部分への外気（例えば、大気、湿気、など）の通気を、第３領域３３０により、遮断することができる。このため、電池の耐環境性を、より向上させることができる。
【０２７８】
なお、第３領域３３０は、対極層２００の１つの端部のみに接して、配置されてもよい。例えば、対極層２００が矩形形状（例えば、四角形形状）であれば、その形状の一辺のみに接して、第３領域３３０が配置されてもよい。
【０２７９】
もしくは、第３領域３３０は、対極層２００の端部のうちの２以上の端部に接して、配置されてもよい。例えば、対極層２００が矩形形状（例えば、四角形形状）であれば、その形状の２辺以上に接して、第３領域３３０が配置されてもよい。これにより、２以上の端部において、放熱性（および、強度、耐環境性、など）を、高めることができる。
【０２８０】
もしくは、第３領域３３０は、対極層２００の周りを囲んで、位置してもよい。
【０２８１】
以上の構成によれば、対極層２００の四方の外縁部分（例えば、外縁部分の全て）に接して、固体電解質材料の密度の高い第３領域３３０を配置できる。これにより、対極層２００からの熱が、それぞれの発熱部分に近い第３領域３３０に伝搬され（拡散され）やすくなる。これにより、電池の中央部分において発生する熱（すなわち、対極層２００において発生する熱）を、固体電解質層３００の表面（および、電池外部）に、より容易に、放熱することができる。
【０２８２】
また、以上の構成によれば、より強度が高い第３領域３３０により、対極層２００の四方の外縁部分（例えば、外縁の全て）を、覆うことができる。このため、比較的強度が弱い対極層２００の四方の外縁部分の破損（例えば、対極材料の崩落、など）を、第３領域３３０により、より抑制できる。したがって、電池の強度を、より向上させることができる。
【０２８３】
また、以上の構成によれば、対極層２００の四方の外縁部分と電池外部（例えば、外気）との間に、より固体電解質材料密度が高い第３領域３３０を、介在させることができる。これにより、例えば、対極層２００の四方の外縁部分への外気（例えば、大気、湿気、など）の通気を、第３領域３３０により、遮断することができる。このため、電池の耐環境性を、より向上させることができる。
【０２８４】
なお、本開示においては、「第３領域３３０が、電極層１００（または、対極層２００）の周りを囲んで、位置する」とは、例えば、「第３領域３３０が、電極層１００（または、対極層２００）の端部の全てに接して、配置される」との意味を、包含する。すなわち、例えば、電極層１００（または、対極層２００）が矩形形状（例えば、四角形形状）であれば、その形状の全ての辺に接して、第３領域３３０が配置されてもよい。
【０２８５】
図２６は、実施の形態６における電池６５００の概略構成を示す図である。
【０２８６】
図２６（ａ）は、実施の形態６における電池６５００の概略構成を示すｘ−ｚ図（２６Ａ断面図）である。
【０２８７】
図２６（ｂ）は、実施の形態６における電池６５００の概略構成を示すｘ−ｙ図（上面透視図）である。
【０２８８】
図２６に示されるように、対極層２００の形成範囲は、電極層１００の形成範囲よりも、大きくてもよい。
【０２８９】
このとき、電極層１００は、対極層２００の形成範囲内に、位置してもよい。
【０２９０】
また、第２領域３２０は、電極層１００の端部に接して、位置してもよい。
【０２９１】
また、第３領域３３０は、対極層２００の端部に接して、位置してもよい。
【０２９２】
以上の構成によれば、対極層２００が電極層１００よりも大面積で形成されることで、対極層２００における金属（例えば、リチウム）の析出を、抑制できる。このため、金属の析出に起因する、電極層１００と対極層２００との間の短絡を防止できる。
【０２９３】
また、以上の構成によれば、対極層２００を電極層１００よりも大面積で形成しながら（すなわち、金属析出による短絡リスクを低減しながら）、対極層２００の外縁部分（例えば、少なくとも１つの端部）に接して、固体電解質材料の密度の高い第３領域３３０を配置できる。
【０２９４】
また、以上の構成によれば、対極層２００を電極層１００よりも大面積で形成しながら（すなわち、金属析出による短絡リスクを低減しながら）、電極層１００の外縁部分（例えば、少なくとも１つの端部）に接して、固体電解質材料の密度の高い第２領域３２０を配置できる。
【０２９５】
図２７は、実施の形態６における電池６６００の概略構成を示す図である。
【０２９６】
図２７（ａ）は、実施の形態６における電池６６００の概略構成を示すｘ−ｚ図（２７Ａ断面図）である。
【０２９７】
図２７（ｂ）は、実施の形態６における電池６６００の概略構成を示すｘ−ｙ図（上面透視図）である。
【０２９８】
図２７に示されるように、第２領域３２０は、電極層１００の周りを囲んで、位置してもよい。
【０２９９】
このとき、第３領域３３０は、対極層２００の周りを囲んで、位置してもよい。
【０３００】
以上の構成によれば、対極層２００を電極層１００よりも大面積で形成しながら（すなわち、金属析出による短絡リスクを低減しながら）、対極層２００の四方の外縁部分（例えば、外縁部分の全て）に接して、固体電解質材料の密度の高い第３領域３３０を配置できる。
【０３０１】
また、以上の構成によれば、対極層２００を電極層１００よりも大面積で形成しながら（すなわち、金属析出による短絡リスクを低減しながら）、電極層１００の四方の外縁部分（例えば、外縁部分の全て）に接して、固体電解質材料の密度の高い第２領域３２０を配置できる。
【０３０２】
図２８は、実施の形態６における電池６７００の概略構成を示す図である。
【０３０３】
図２８は、実施の形態６における電池６７００の概略構成を示すｘ−ｚ図（２８Ａ断面図）である。
【０３０４】
図２８は、実施の形態６における電池６７００の概略構成を示すｘ−ｙ図（上面透視図）である。
【０３０５】
図２８に示されるように、第１領域３１０は、電極層１００の周りを囲んで、位置してもよい。すなわち、第２領域３２０は、電極層１００と接触せずに、位置してもよい。これにより、電極層１００と対極層２００とが対向する領域内に位置する第１領域３１０の面積を、より大きくできる。すなわち、電極層１００と対極層２００との間の金属イオンの伝搬を担う第１領域３１０を、より大面積で配置できる。これにより、対極層２００における金属（例えば、リチウム）の析出を、より抑制できる。
【０３０６】
（実施の形態７）
以下、実施の形態７が説明される。上述の実施の形態１から６のいずれかと重複する説明は、適宜、省略される。
【０３０７】
図２９は、実施の形態７における電池７０００の概略構成を示す図である。
【０３０８】
図２９は、実施の形態７における電池７０００の概略構成を示すｘ−ｚ図（２９Ａ断面図）である。
【０３０９】
図２９は、実施の形態７における電池７０００の概略構成を示すｘ−ｙ図（上面透視図）である。
【０３１０】
実施の形態７における電池７０００は、上述の実施の形態６における電池６０００の構成に加えて、下記の構成をさらに備える。
【０３１１】
すなわち、実施の形態７における電池７０００は、電極集電体４００と、対極集電体５００と、をさらに備える。
【０３１２】
電極集電体４００は、電極層１００に電気的に接続される集電体である。
【０３１３】
対極集電体５００は、対極層２００に電気的に接続される集電体である。
【０３１４】
第３領域３３０は、電極集電体４００と対極集電体５００との間に、電極集電体４００と対極集電体５００とに接して、位置する。
【０３１５】
以上の構成によれば、電極集電体４００と対極集電体５００とが接触して短絡することを抑制できる。すなわち、固体電解質材料密度が高い（すなわち、強度が高い）第３領域３３０を、固体電解質層３００の外縁部分（言い換えれば、電極集電体４００と対極集電体５００との外縁部分）における、高強度の骨格構造として作用させることができる。これにより、電極集電体４００と対極集電体５００との外縁部分が、それぞれ、変形または構造欠陥することを、第３領域３３０により、抑制できる。このため、例えば、大面積化かつ薄層化された電池（例えば、高出力かつ高容量として設計された電池）であっても、もしくは、セパレータを備えない全固体電池であっても、第３領域３３０により、電極集電体４００と対極集電体５００とが接触して短絡することを抑制できる。したがって、電池の耐変形性および耐衝撃性を、より高めることができる。
【０３１６】
なお、第３領域３３０は、電極集電体４００と対極集電体５００とが対向する領域のうち、電極層１００と対極層２００とを介さずに電極集電体４００と対極集電体５００とが対向する領域に、配置されてもよい。
【０３１７】
なお、第３領域３３０は、電極集電体４００（および、対極集電体５００）の１つの端部のみに、配置されてもよい。例えば、電極集電体４００（および、対極集電体５００）が矩形形状（例えば、四角形形状）であれば、その形状の一辺のみに、第３領域３３０が配置されてもよい。
【０３１８】
もしくは、第３領域３３０は、電極集電体４００（および、対極集電体５００）の端部のうちの２以上の端部に、配置されてもよい。例えば、電極集電体４００（および、対極集電体５００）が矩形形状（例えば、四角形形状）であれば、その形状の２辺以上に、第３領域３３０が配置されてもよい。これにより、２以上の端部において、電極集電体４００と対極集電体５００とが接触して短絡することを抑制できる。
【０３１９】
もしくは、第３領域３３０は、第２領域３２０と電極層１００と対極層２００の周りを囲んで、位置してもよい。このとき、第２領域３２０と電極層１００と対極層２００の周りを囲む第３領域３３０は、電極集電体４００と対極集電体５００とに接して、位置してもよい。これにより、第２領域３２０と電極層１００と対極層２００との積層体の周囲（例えば、四方）の位置において、電極集電体４００と対極集電体５００とが接触して短絡することを抑制できる。
【０３２０】
なお、第３領域３３０は、電極集電体４００と対極集電体５００とが対向する領域のうち、電極層１００と対極層２００とを介さずに電極集電体４００と対極集電体５００とが対向する領域の全体に、配置されてもよい。これにより、第２領域３２０と電極層１００と対極層２００との積層体の周囲（例えば、四方）の位置において、電極集電体４００と対極集電体５００とが接触して短絡することを、より抑制できる。
【０３２１】
図３０は、実施の形態７における電池７１００の概略構成を示す図である。
【０３２２】
図３０は、実施の形態７における電池７１００の概略構成を示すｘ−ｚ図（３０Ａ断面図）である。
【０３２３】
図３０は、実施の形態７における電池７１００の概略構成を示すｘ−ｙ図（上面透視図）である。
【０３２４】
図３０に示されるように、第２距離Ｄ２は、第１距離Ｄ１よりも、小さくてもよい。
【０３２５】
このとき、第３距離Ｄ３は、第２距離Ｄ２よりも、小さくてもよい。
【０３２６】
ここで、第１距離Ｄ１は、第１領域３１０が配置される位置における、電極集電体４００と対極集電体５００との間の距離である。
【０３２７】
また、第２距離Ｄ２は、第２領域３２０が配置される位置における、電極集電体４００と対極集電体５００との間の距離である。
【０３２８】
また、第３距離Ｄ３は、第３領域３３０が配置される位置における、電極集電体４００と対極集電体５００との間の距離である。
【０３２９】
以上の構成によれば、固体電解質層３００の外縁部分（言い換えれば、電極集電体４００と対極集電体５００との外縁部分）が狭められた電池（すなわち、外周の側面が狭められた電池）を構成できる。これにより、固体電解質層３００の外縁部分の露出面積を減少させることができる。このため、例えば、第１領域３１０への外気（例えば、大気、湿気、など）の通気を、第２領域３２０および第３領域３３０により、より確実に、遮断することができる。また、電池の外周側面の耐久性（例えば、耐衝撃性）などを、より向上できる。このため、電池の耐環境性を、より向上させることができる。
【０３３０】
なお、実施の形態１から７においては、電池の側面の一部（または、全部）は、絶縁材料（例えば、封止材）で被覆されてもよい。これにより、電池を、より強固に封止することができる。このとき、封止材は、例えば、防湿性のラミネートシートであってもよい。これにより、電池が水分によって劣化することを、封止材によって、防止できる。また、電池は、封止ケースに内包されてもよい。封止ケースとしては、一般に公知の電池用ケース（例えば、ラミネート袋、金属缶、樹脂ケース、など）が用いられうる。
【０３３１】
なお、実施の形態１から７における電池は、一対の外部電極をさらに備えてもよい。一対の外部電極は、電池の全体が封止材により封止される場合には、電池の上下面（または、側面）の外側に突出してもよい。外部電極の一方は、例えば、電池の一方の端に位置する集電体（例えば、電極集電体４００）に接続されてもよい。このとき、外部電極のもう一方は、例えば、電池のもう一方の端に位置する集電体（例えば、対極集電体５００）に接続されてもよい。これにより、一対の外部電極に接続される負荷への放電、および、一対の外部電極に接続される充電装置により電池の充電が可能となる。
【０３３２】
なお、上述の実施の形態１から７のそれぞれに記載の構成は、適宜、互いに、組み合わされてもよい。
【０３３３】
［電池の製造方法］
以下に、実施の形態１から７における電池の製造方法の一例が、説明される。
【０３３４】
まず、第１領域３１０と第２領域３２０と正極層と負極層との印刷形成に用いる各ペーストを作成する。なお、第１領域３１０と第２領域３２０とのペーストは、同じ固体電解質材料から作製してもよいし、異なる固体電解質材料から作成してもよい。第１領域３１０と第２領域３２０と正極層と負極層との合剤成分に用いる固体電解質原料として、平均粒子径が約１０μｍであり、三斜晶系結晶を主成分とするＬｉ２Ｓ−Ｐ２Ｓ５系硫化物のガラス粉末が、準備される。この圧粉体としては、高いイオン導電性（例えば、２〜３×１０−３Ｓ／ｃｍ）を有するものが、使用されうる。第１領域３１０と第２領域３２０の形成用として、上述のガラス粉末に有機バインダーおよび溶剤を加えて混合かつ分散させた固体電解質ペーストを作製する。正極活物質として、平均粒子径が約５μｍであり、層状構造のＬｉ・Ｎｉ・Ｃｏ・Ａｌ複合酸化物（ＬｉＮｉ０．８Ｃｏ０．１５Ａｌ０．０５Ｏ２）の粉末が、用いられる。この活物質と上述のガラス粉末とを含有させた合剤からなる正極層ペーストが、同様に作製される。また、負極活物質として、平均粒子径が約１０μｍである天然黒鉛の粉末が、用いられる。この活物質と上述のガラス粉末とを含有させた合剤からなる負極層ペーストが、同様に作製される。
【０３３５】
次いで、正極集電体および負極集電体として用いられる、約３０μｍの厚みの銅箔が、準備される。スクリーン印刷法により、正極層用ペーストと負極層用ペーストとが、それぞれの銅箔の片方の表面上に、それぞれ所定形状で、約５０〜１００μｍの厚みで、印刷される。これらは、８０〜１３０℃で乾燥されることで、３０〜６０μｍの厚みになる。これにより、正極層となる印刷体と負極層となる印刷体とがそれぞれ形成された集電体（銅箔）が得られる。
【０３３６】
次いで、正極層となる印刷体と負極層となる印刷体とがそれぞれ形成された集電体の面に、メタルマスクを用いて、上述の固体電解質ペーストが、約１００μｍの厚みで、印刷される。その後、これらは、８０〜１３０℃で、乾燥される。
【０３３７】
次いで、正極層側の固体電解質層と負極層側の固体電解質層とが、互いに対向するようにして、積層され、矩形外形のダイス型に収められる。次いで、加圧金型パンチとの間に、弾性率５×１０６Ｐａ程度の弾性体シート（７０μｍ厚み）が挿入される。その後、これを圧力３００ＭＰａにて５０℃に加温しながら、９０秒間加圧することで、積層体が得られる。
【０３３８】
なお、固体電解質材料と正極活物質と負極活物質としては、ヤング率（縦弾性係数）の相互関係が、「固体電解質材料（２０ＧＰａ）＜正極活物質及び負極活物質（１５０ＧＰａ）」の関係を満たす材料が、使用されうる。ここで、一般的な硫化物系の固体電解質のヤング率は、１０〜３０ＧＰａである。また、金属および酸化物は、１００〜３００ＧＰａのヤング率である。
【０３３９】
また、固体電解質層用と正極層用と負極層用の各ペーストの乾燥膜は、積層時における加圧前後の圧縮率が、「固体電解質（約３０％）＞正極活物質および負極活物質（約１０％）」の関係を満たすものが、使用されうる。ペースト印刷体の圧縮特性は、製造プロセス（例えば、バインダーまたは溶剤の設計、乾燥方法、など）で制御できる。ここで、硫化物系の固体電解質のヤング率であれば加圧変形も加わるので、硫化物系の固体電解質を用いることで、容易に圧縮率を大きくすることができる。
【０３４０】
以上のような、弾性特性または圧縮特性の関係を満たす原料を使用して、上述した方法で一体加圧することにより、「第２密度（相対密度９０％）＞  第１密度（相対密度８２％）」の関係を満たす積層体を得ることができる。ここで、相対密度は、理論密度に対する比率を意味する。上述の硫化物系のガラス粉末の場合は、結晶構造の単位格子から算出される密度（理論値）は、２．０ｇ／ｃｍ３である。これに対して、第１領域３１０の密度と導電率は、１．６４ｇ／ｃｍ３のとき、２．２×１０−３Ｓ／ｃｍであった。また、第２領域３２０の密度と導電率は、１．８ｇ／ｃｍ３のとき、２．５×１０−３Ｓ／ｃｍであった。なお、電池内の密度は、例えば、ＳＥＭなどを用いた断面観察により、確認されうる。また、導電率は、マイクロプローバーなどの微細特性評価機によって、評価されうる。
【０３４１】
なお、同じ相対密度のテスト試料を作成して、導電率を評価することができる。ここで、第１領域３１０は、電池動作部分である。すなわち、第１領域３１０は、電池の充放電時にイオンを授受して電流が流れる動作領域である。このため、第１領域３１０の導電率は高いほど望ましい。一方で、第２領域３２０（および、第３領域３３０）は、イオン授受への関与が比較的少ない領域である。このため、「第１領域３１０の導電率＜第２領域３２０の導電率」の関係が満たされてもよい。このとき、実効熱伝導率は、実効面積増加と熱伝導キャリアでもある導電キャリアの増加により、密度または導電率と対応して、同様に変化する。このため、熱伝導率には、密度および導電率の関係が反映される。したがって、「第１領域３１０の導電率＜第２領域３２０の導電率」の関係が満たされることで、熱伝導率についても、同じ相対関係が満たされる。なお、実効的な導電率および熱導電率は、高密度化と対応して、向上する（さらに、一般に、強度も高まる）。特に、硫化物系の固体電解質は、一般的な無機物よりも、高い弾性率と加圧焼結性を有する。このため、圧粉からでも、加圧や加温により、その充填率（すなわち、密度）を高めることにより、密度と導電性とともに強度の向上が広範囲で可能である。
【０３４２】
なお、圧粉体から第１領域３１０を形成する場合、相対密度に対して、導電率が急上昇するパーコレーション閾値以上に相対密度を制御してもよい。すなわち、第１密度は、パーコレーション閾値以上の密度であってもよい。これにより、適切な高さの導電率を、粉体に応じて、得ることができる。パーコレーション閾値以上では、密度増加に対する導電率は、なだらかに向上する。このため、電池の動作と固体電解質層３００における密度関係との両立には、パーコレーション閾値以上の相対密度が適する。なお、上述の硫化物系のガラス粉末の場合、密度と導電率の圧力依存性から求めたパーコレーション閾値は、約７０％の相対密度にあった。一方で、第１領域３１０と第２領域３２０は、それぞれ８２％および９０％の相対密度として形成されていた。
【０３４３】
なお、正極層と負極層と固体電解質層における圧粉体が加圧される時、固体電解質層の圧縮率は、正極層の圧縮率と負極層の圧縮率よりも、大きくてもよい。上述のヤング率および圧縮特性からわかるように、正極層と負極層とは、硬く、圧縮し難い層である。これに対して、第２領域３２０は、柔らかく、圧縮されやすい。このため、金型と積層体の間に挿入する弾性体が加圧によって変形しながら圧縮するとき、第２領域３２０は、正極層あるいは負極層と比較して、選択的に圧縮が進行することとなる。これに対して、第１領域３１０は、圧力印加軸の上下に正極層と負極層が存在するため、圧力が吸収されて損失する。このため、第２領域３２０へは、減衰した圧力が伝わる。このため、第２領域３２０は、第１領域３１０より、必然的に低密度値になる。このようにして、「第２密度＞第１密度」の密度関係が満たされる。
【０３４４】
なお、上述の製造方法において、構成材料のヤング率または圧縮率の関係の差異を大きく設定したり、もしくは、弾性体シートの硬度を柔らかくしたり（または、厚くしたり）などの手段により、第１密度と第２密度との密度差を、より大きくできる。このとき、第１領域３１０の厚みよりも、第２領域３２０の厚みが薄い構成が実現されうる。
【０３４５】
なお、正極層と負極層との形成範囲をずらすことにより、圧力軸方向に、互いに異なる圧縮特性の３つの領域が、形成されうる。これにより、上述の製造方法により、第３領域３３０を有する電池を作製できる。
【０３４６】
なお、固体電解質層における各領域の密度関係は、上述の製造方法の一例だけでなく、下記の製造方法でも、実現されうる。
【０３４７】
すなわち、第２領域３２０（または、第３領域３３０）を形成するためのペーストとして、第１領域３１０よりも、固体電解質材料の密度が高いペースト（例えば、固形分比率の高いペースト）が、準備されてもよい。このとき、ペーストに含有される固体電解質材料とその他の含有材料（例えば、バインダー、など）の量を調整することで、各ペーストの密度を調整できる。これらの密度の異なるペーストを、集電体の表面にそれぞれ印刷形成してもよい。その後、一般的な平行平板剛体により加圧して、積層体（電池）が作製されてもよい。
【０３４８】
もしくは、各ペーストを印刷し乾燥させた後に、第２領域３２０（または、第３領域３３０）を、第１領域３１０よりも強く、選択的に加圧する方法が、用いられてもよい。例えば、凹凸の金型を用いた積層プレスの方法が、用いられてもよい。
【０３４９】
もしくは、第２領域３２０（または、第３領域３３０）用の高密度グリーンシートを塗工した後、パンチング処理によって、第１領域３１０となる部分を打ち抜いてもよい。その後、これにより形成される凹部に、第１領域３１０を形成するペーストを充填（または、印刷）する方法が、用いられてもよい。
【０３５０】
なお、以上の製造方法において、第１領域３１０と第２領域３２０と第３領域３３０との形成位置が調整されることで、上述の実施の形態１から７において示された電池のそれぞれが、作製されうる。
【産業上の利用可能性】
【０３５１】
本開示の電池は、例えば、各種の電子機器または自動車などに用いられる電池（例えば、全固体二次電池、など）として、利用されうる。
【符号の説明】
【０３５２】
１００    電極層
２００    対極層
３００    固体電解質層
３１０    第１領域
３１１    第１張出部分
３２０    第２領域
３２１    第２張出部分
３３０    第３領域
４００    電極集電体
５００    対極集電体
１０００，１１００，１２００，２０００，２１００，２２００，３０００，３１００，３２００，３３００，３４００，３５００，４０００，４１００，４２００，４３００，５０００，５１００，５２００，５３００，６０００，６１００，６２００，６３００，６４００，６５００，６６００，６７００，７０００，７１００    電池
【図１】
2019029339.tif 000003
【図２】
2019029339.tif 000004
【図３】
2019029339.tif 000005
【図４】
2019029339.tif 000006
【図５】
2019029339.tif 000007
【図６】
2019029339.tif 000008
【図７】
2019029339.tif 000009
【図８】
2019029339.tif 000010
【図９】
2019029339.tif 000011
【図１０】
2019029339.tif 000012
【図１１】
2019029339.tif 000013
【図１２】
2019029339.tif 000014
【図１３】
2019029339.tif 000015
【図１４】
2019029339.tif 000016
【図１５】
2019029339.tif 000017
【図１６】
2019029339.tif 000018
【図１７】
2019029339.tif 000019
【図１８】
2019029339.tif 000020
【図１９】
2019029339.tif 000021
【図２０】
2019029339.tif 000022
【図２１】
2019029339.tif 000023
【図２２】
2019029339.tif 000024
【図２３】
2019029339.tif 000025
【図２４】
2019029339.tif 000026
【図２５】
2019029339.tif 000027
【図２６】
2019029339.tif 000028
【図２７】
2019029339.tif 000029
【図２８】
2019029339.tif 000030
【図２９】
2019029339.tif 000031
【図３０】
2019029339.tif 000032